(57)【要約】【課題】  受信帯域と同じ帯域にノイズが発生している場合であっても、最適な受信品位を維持するようにアンテナの制御を行う受信装置、受信方法及び受信装置用集積回路を提供すること。【解決手段】  受信装置１００は、アンテナ３１、アンテナ３１近傍に配設された補助アンテナ３２、受信信号を増幅するチューナー回路１１、チューナー回路３１によって増幅された受信信号を復調する復調部２００、復調部２００によって復調された受信信号の受信品位を検出する受信品位検出回路２６、受信品位検出回路２６によって検出された受信品位に基づいて補助アンテナ３２に印加する電圧を切り替えてアンテナ３１の受信特性を変化させるアンテナ制御回路２７を備える。受信信号の受信品位の変化に応じてアンテナ制御回路２７によって補助アンテナ３２に印加される電圧が切り替えられることにより、アンテナ３１の受信特性を変化させ、電波の受信状態を変化させる。【選択図】図１
2006186961.tif 000002
【特許請求の範囲】
【請求項１】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された現在の受信品位の値と前回検出された受信品位の値とを比較する比較手段と、
この比較手段により現在の受信品位の値が前回検出された受信品位の値より悪くなったと判断された場合に、前記受信用アンテナの受信特性を変更させるように前記特性変更手段を制御する変更制御手段と、
を有することを特徴とする受信装置。
【請求項２】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された受信品位の値と予め設定された閾値とを比較する第１の比較手段と、
前記受信品位検出手段により検出された現在の受信品位の値と前回検出された受信品位の値とを比較する第２の比較手段と、
前記第１の比較手段により受信品位の値が前記閾値より悪いと判断され、且つ、前記第２の比較手段により現在の受信品位の値が前回検出された受信品位の値より悪いと判断された場合に、前記受信用アンテナの受信特性を変更させるように前記特性変更手段を制御する変更制御手段と、
を有することを特徴とする受信装置。
【請求項３】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された受信品位の値と予め設定された閾値とを比較する第１の比較手段と、
前記受信品位検出手段により検出された現在の受信品位の値と前回検出された受信品位の値とを比較する第２の比較手段と、
前記受信品位検出手段により検出された前回の受信品位の値と前記閾値とを比較する第３の比較手段と、
（１）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より良いと判断された場合、又は、（２）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より悪いと判断され、且つ、前回前記受信用アンテナの受信特性を変更した場合に、前記受信用アンテナの受信特性を変更させるように前記特性変更手段を制御する変更制御手段と、
を有することを特徴とする受信装置。
【請求項４】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
予め定められた閾値を記憶するレジスタ手段と、
前記受信品位検出手段により検出された受信品位の値と前記レジスタ手段に記憶された閾値とを比較する比較手段と、
を備え、
前記アンテナ制御手段は、前記比較手段による比較結果から、前記受信品位検出手段により検出される受信品位の値が前記レジスタ手段に記憶された閾値よりも低い状態が予め定められた時間継続されたと判断した場合に、前記受信用アンテナの受信特性を変更させるように前記特性制御手段を制御する変更制御手段を有することを特徴とする受信装置。
【請求項５】
前記アンテナ制御手段は、前記比較手段による比較結果から、前記受信品位検出手段により検出された受信品位の値が前記レジスタ手段に記憶された閾値よりも高いと判断した場合に、前記レジスタ手段に記憶された閾値を現在記憶されている値よりも高い値に変更するように制御するレジスタ値変更制御手段を有することを特徴とする請求項４に記載の受信装置。
【請求項６】
前回の受信品位の値を記憶する第２のレジスタ手段と、
この第２のレジスタ手段に記憶された前回の受信品位の値と前記受信品位検出手段により検出された受信品位の値とを比較する第２の比較手段と、
を更に備え、
前記アンテナ制御手段は、前記比較手段による比較結果から、前記受信品位検出手段により検出された受信品位の値が前記レジスタ手段に記憶された閾値よりも低く、且つ、前記第２の比較手段による比較結果から、前記受信品位検出手段により検出された受信品位の値が前回の受信品位の値よりも悪くなったと判断した場合に、前記レジスタ手段に記憶された閾値を現在記憶されている値よりも低い値に変更するように制御するレジスタ値変更制御手段を有することを特徴とする請求項４に記載の受信装置。
【請求項７】
前記特性変更手段は、前記受信用アンテナの近傍に配置され、前記アンテナ制御手段による制御に基づいた電圧が印加されることにより当該受信用アンテナの受信特性を変更させる補助アンテナを有することを特徴とする請求項１〜６の何れか一項に記載の受信装置。
【請求項８】
前記受信用アンテナは複数用意され、前記特性変更手段は前記アンテナ制御手段による制御に基づいて当該複数の受信用アンテナの何れか一つを選択することを特徴とする請求１〜６の何れか一項に記載の受信装置。
【請求項９】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された現在の受信品位の値と前回検出された受信品位の値とを比較する比較回路と、
この比較回路により現在の受信品位の値が前回検出された受信品位の値より悪くなったと判断された場合に、前記受信用アンテナの受信特性を変更させるように前記特性変更回路を制御する変更制御回路と、
を有することを特徴とする受信回路。
【請求項１０】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された受信品位の値と予め設定された閾値とを比較する第１の比較回路と、
前記受信品位検出回路により検出された現在の受信品位の値と前回検出された受信品位の値とを比較する第２の比較回路と、
前記第１の比較回路により受信品位の値が前記閾値より悪いと判断され、且つ、前記第２の比較回路により現在の受信品位の値が前回検出された受信品位の値より悪いと判断された場合に、前記受信用アンテナの受信特性を変更させるように前記特性変更回路を制御する変更制御回路と、
を有することを特徴とする受信回路。
【請求項１１】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された受信品位の値と予め設定された閾値とを比較する第１の比較回路と、
前記受信品位検出回路により検出された現在の受信品位の値と前回検出された受信品位の値とを比較する第２の比較回路と、
前記受信品位検出回路により検出された前回の受信品位の値と前記閾値とを比較する第３の比較回路と、
（１）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より良いと判断された場合、又は、（２）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より悪いと判断され、且つ、前回前記受信用アンテナの受信特性を変更した場合に、前記受信用アンテナの受信特性を変更させるように前記特性変更回路を制御する変更制御回路と、
を有することを特徴とする受信回路。
【請求項１２】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
予め定められた閾値を記憶するレジスタ回路と、
前記受信品位検出回路により検出された受信品位の値と前記レジスタ回路に記憶された閾値とを比較する比較回路と、
を備え、
前記アンテナ制御回路は、前記比較回路による比較結果から、前記受信品位検出回路により検出される受信品位の値が前記レジスタ回路に記憶された閾値よりも低い状態が予め定められた時間継続されたと判断した場合に、前記受信用アンテナの受信特性を変更させるように前記特性制御回路を制御する変更制御回路を有することを特徴とする受信回路。
【請求項１３】
前記アンテナ制御回路は、前記比較回路による比較結果から、前記受信品位検出回路により検出された受信品位の値が前記レジスタ回路に記憶された閾値よりも高いと判断した場合に、前記レジスタ回路に記憶された閾値を現在記憶されている値よりも高い値に変更するように制御するレジスタ値変更制御回路を有することを特徴とする請求項１２に記載の受信回路。
【請求項１４】
前回の受信品位の値を記憶する第２のレジスタ回路と、
この第２のレジスタ回路に記憶された前回の受信品位の値と前記受信品位検出回路により検出された受信品位の値とを比較する第２の比較回路と、
を更に備え、
前記アンテナ制御回路は、前記比較回路による比較結果から、前記受信品位検出回路により検出された受信品位の値が前記レジスタ回路に記憶された閾値よりも低く、且つ、前記第２の比較回路による比較結果から、前記受信品位検出回路により検出された受信品位の値が前回の受信品位の値よりも悪くなったと判断した場合に、前記レジスタ回路に記憶された閾値を現在記憶されている値よりも低い値に変更するように制御するレジスタ値変更制御回路を有することを特徴とする請求項１２に記載の受信回路。
【請求項１５】
前記特性変更回路は、前記受信用アンテナの近傍に配置され、前記アンテナ制御回路による制御に基づいた電圧が印加されることにより当該受信用アンテナの受信特性を変更させる補助アンテナを有することを特徴とする請求項９〜１４の何れか一項に記載の受信回路。
【請求項１６】
前記受信用アンテナは複数用意され、前記特性変更回路は前記アンテナ制御回路による制御に基づいて当該複数の受信用アンテナの何れか一つを選択することを特徴とする請求９〜１４の何れか一項に記載の受信回路。
【請求項１７】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された現在の受信品位の値と前回検出された受信品位の値とを比較する比較工程と、
この比較工程により現在の受信品位の値が前回検出された受信品位の値より悪くなったと判断された場合に、前記受信用アンテナの受信特性を変更させるように前記特性変更工程を制御する変更制御工程と、
が含まれることを特徴とする受信方法。
【請求項１８】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された受信品位の値と予め設定された閾値とを比較する第１の比較工程と、
前記受信品位検出工程により検出された現在の受信品位の値と前回検出された受信品位の値とを比較する第２の比較工程と、
前記第１の比較工程により受信品位の値が前記閾値より悪いと判断され、且つ、前記第２の比較工程により現在の受信品位の値が前回検出された受信品位の値より悪いと判断された場合に、前記受信用アンテナの受信特性を変更させるように前記特性変更工程を制御する変更制御工程と、
が含まれることを特徴とする受信方法。
【請求項１９】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された受信品位の値と予め設定された閾値とを比較する第１の比較工程と、
前記受信品位検出工程により検出された現在の受信品位の値と前回検出された受信品位の値とを比較する第２の比較工程と、
前記受信品位検出工程により検出された前回の受信品位の値と前記閾値とを比較する第３の比較工程と、
（１）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より良いと判断された場合、又は、（２）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より悪いと判断され、且つ、前回前記受信用アンテナの受信特性を変更した場合に、前記受信用アンテナの受信特性を変更させるように前記特性変更工程を制御する変更制御工程と、
が含まれることを特徴とする受信方法。
【請求項２０】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
予め定められた閾値を記憶するレジスタ工程と、
前記受信品位検出工程により検出された受信品位の値と前記レジスタ工程に記憶された閾値とを比較する比較工程と、
を含み、
前記アンテナ制御工程には、前記比較工程による比較結果から、前記受信品位検出工程により検出される受信品位の値が前記レジスタ工程に記憶された閾値よりも低い状態が予め定められた時間継続されたと判断した場合に、前記受信用アンテナの受信特性を変更させるように前記特性制御工程を制御する変更制御工程が含まれることを特徴とする受信方法。
【発明の詳細な説明】
【技術分野】
【０００１】
本発明は、例えば、デジタル放送等に用いられる受信装置、受信回路及び受信方法に関する。
【背景技術】
【０００２】
デジタル放送の変調方式としてＯＦＤＭ（Orthogonal Frequency Division Multiplexing：直交周波数分割多重化方式）方式が用いられている。これは、複数の電波（具体的には、映像や音声、データ放送等）が多重化して送信される変調方式である。ＯＦＤＭ方式は地上波デジタルテレビ放送の変調方式として用いられているが、近年、移動体通信の利用についても研究がなされている。
【０００３】
このようなＯＦＤＭ方式を採用するデジタル放送の信号を受信する受信装置として、複数のアンテナを受信装置に接続し、それぞれのアンテナによって受信された信号の受信電界強度に応じて受信信号を選択又は合成するダイバーシティ受信装置が知られている。
【０００４】
また、特許文献１には、各アンテナで受信した受信レベルと閾値とを比較して、閾値レベルを満たす受信信号に対して最大比合成を行う技術が開示されている。
【特許文献１】特開２０００−２２６１３号公報
【発明の開示】
【発明が解決しようとする課題】
【０００５】
しかしながら、上述したダイバーシティ技術の場合、受信帯域と同じ帯域にノイズが発生している場合は、アンテナで受信した受信信号とノイズ信号とが加算され、そのアンテナの受信電界強度は大きくなる。そして、受信電界強度の大きいノイズ信号を含む受信信号が選択され、又は合成によって得られることとなる。このように、複数のアンテナによる単純な受信電界強度の比較では、逆に受信特性が悪化する場合があった。
【０００６】
更に、従来のダイバーシティ受信装置に共通する問題としては、複数のアンテナの他に該アンテナと同数の受信回路が必要であるため、受信装置の規模が大きくなると共にコストが増加し、消費電力が増加するという問題があった。そして、このようなダイバーシティ受信装置は、複数のアンテナを受信装置に組み込む必要があるため、小型化が難しく、携帯電話や車載用小型テレビ等に内蔵するには適さなかった。
【０００７】
本発明は以上の点を考慮してなされたものであり、受信帯域と同じ帯域にノイズが発生している場合であっても、最適な受信品位を維持するようにアンテナの制御を行う受信装置、受信回路及び受信方法を実現することを目的としている。
【課題を解決するための手段】
【０００８】
以上の課題を解決するために、請求項１に記載の発明の受信装置は、
受信用アンテナ（例えば、図１のアンテナ３１）と、
この受信用アンテナの受信特性を変更させる特性変更手段（例えば、図１の可変特性アンテナ部３００）と、
前記受信用アンテナにより受信された受信信号の受信品位を検出する受信品位検出手段（例えば、図１の受信品位検出回路２６）と、
この受信品位検出手段による検出結果に基づいて前記受信用アンテナの受信特性を変更させるように前記特性変更手段を制御するアンテナ制御手段（例えば、図１，２のアンテナ制御回路２７）と、
を備え、
前記アンテナ制御手段は、
前記受信品位検出手段により検出された現在の受信品位の値と前回検出された受信品位の値とを比較する比較手段（例えば、図２の比較器２７２）と、
この比較手段により現在の受信品位の値が前回検出された受信品位の値より悪くなったと判断された場合に、前記受信用アンテナの受信特性を変更させるように前記特性変更手段を制御する変更制御手段（例えば、図２の切替器２７３）と、
を有することを特徴とする。
【０００９】
請求項２に記載の発明の受信装置は、
受信用アンテナ（例えば、図１のアンテナ３１）と、
この受信用アンテナの受信特性を変更させる特性変更手段（例えば、図１の可変特性アンテナ部３００）と、
前記受信用アンテナにより受信された受信信号の受信品位を検出する受信品位検出手段（例えば、図１の受信品位検出回路２６）と、
この受信品位検出手段による検出結果に基づいて前記受信用アンテナの受信特性を変更させるように前記特性変更手段を制御するアンテナ制御手段（例えば、図６のアンテナ制御回路２７ａ）と、
を備え、
前記アンテナ制御手段は、
前記受信品位検出手段により検出された受信品位の値と予め設定された閾値とを比較する第１の比較手段（例えば、図６の比較器２７４ａ）と、
前記受信品位検出手段により検出された現在の受信品位の値と前回検出された受信品位の値とを比較する第２の比較手段（例えば、図６の比較器２７２ａ）と、
前記第１の比較手段により受信品位の値が前記閾値より悪いと判断され、且つ、前記第２の比較手段により現在の受信品位の値が前回検出された受信品位の値より悪いと判断された場合に、前記受信用アンテナの受信特性を変更させるように前記特性変更手段を制御する変更制御手段（例えば、図６の切替器２７３ａ）と、
を有することを特徴とする。
【００１０】
請求項３に記載の発明の受信装置は、
受信用アンテナ（例えば、図１のアンテナ３１）と、
この受信用アンテナの受信特性を変更させる特性変更手段（例えば、図１の可変特性アンテナ部３００）と、
前記受信用アンテナにより受信された受信信号の受信品位を検出する受信品位検出手段（例えば、図１の受信品位検出回路２６）と、
この受信品位検出手段による検出結果に基づいて前記受信用アンテナの受信特性を変更させるように前記特性変更手段を制御するアンテナ制御手段（例えば、図９のアンテナ制御回路２７ｂ）と、
を備え、
前記アンテナ制御手段は、
前記受信品位検出手段により検出された受信品位の値と予め設定された閾値とを比較する第１の比較手段（図９の比較器２７４ｂ）と、
前記受信品位検出手段により検出された現在の受信品位の値と前回検出された受信品位の値とを比較する第２の比較手段（例えば、図９の比較器２７２ｂ）と、
前記受信品位検出手段により検出された前回の受信品位の値と前記閾値とを比較する第３の比較手段（例えば、図９の比較器２７５ｂ）と、
（１）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より良いと判断された場合、又は、（２）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より悪いと判断され、且つ、前回前記受信用アンテナの受信特性を変更した場合に、前記受信用アンテナの受信特性を変更させるように前記特性変更手段を制御する変更制御手段（例えば、図９の切替器２７３ｂ）と、
を有することを特徴とする。
【００１１】
請求項４に記載の発明の受信装置は、
受信用アンテナ（例えば、図１のアンテナ３１）と、
この受信用アンテナの受信特性を変更させる特性変更手段（例えば、図１の可変特性アンテナ部３００）と、
前記受信用アンテナにより受信された受信信号の受信品位を検出する受信品位検出手段（例えば、図１の受信品位検出回路２６）と、
この受信品位検出手段による検出結果に基づいて前記受信用アンテナの受信特性を変更させるように前記特性変更手段を制御するアンテナ制御手段（例えば、図１２のアンテナ制御回路２７ｃ）と、
予め定められた閾値を記憶するレジスタ手段（例えば、図１２のレジスタ２７７１）と、
前記受信品位検出手段により検出された受信品位の値と前記レジスタ手段に記憶された閾値とを比較する比較手段（例えば、図１２の比較器２７６１）と、
を備え、
前記アンテナ制御手段は、前記比較手段による比較結果から、前記受信品位検出手段により検出される受信品位の値が前記レジスタ手段に記憶された閾値よりも低い状態が予め定められた時間継続されたと判断した場合に、前記受信用アンテナの受信特性を変更させるように前記特性制御手段を制御する変更制御手段（例えば、図１２の制御回路２７９ｃ）を有することを特徴とする。
【００１２】
請求項５に記載の発明は、請求項４に記載の受信装置であって、
前記アンテナ制御手段は、前記比較手段による比較結果から、前記受信品位検出手段により検出された受信品位の値が前記レジスタ手段に記憶された閾値よりも高いと判断した場合に、前記レジスタ手段に記憶された閾値を現在記憶されている値よりも高い値に変更するように制御するレジスタ値変更制御手段（例えば、図１５の制御回路２７９ｄ）を有することを特徴とする。
【００１３】
請求項６に記載の発明は、請求項４に記載の受信装置であって、
前回の受信品位の値を記憶する第２のレジスタ手段（例えば、図１５のレジスタ２７７２）と、
この第２のレジスタ手段に記憶された前回の受信品位の値と前記受信品位検出手段により検出された受信品位の値とを比較する第２の比較手段（例えば、図１５の比較器２７６２）と、
を更に備え、
前記アンテナ制御手段は、前記比較手段による比較結果から、前記受信品位検出手段により検出された受信品位の値が前記レジスタ手段に記憶された閾値よりも低く、且つ、前記第２の比較手段による比較結果から、前記受信品位検出手段により検出された受信品位の値が前回の受信品位の値よりも悪くなったと判断した場合に、前記レジスタ手段に記憶された閾値を現在記憶されている値よりも低い値に変更するように制御するレジスタ値変更制御手段（例えば、図１５の制御回路２７９ｄ）を有することを特徴とする。
【００１４】
請求項７に記載の発明は、請求項１〜６の何れか一項に記載の受信装置であって、
前記特性変更手段は、前記受信用アンテナの近傍に配置され、前記アンテナ制御手段による制御に基づいた電圧が印加されることにより当該受信用アンテナの受信特性を変更させる補助アンテナ（例えば、図１の補助アンテナ３２）を有することを特徴とする。
【００１５】
請求項８に記載の発明は、請求１〜６の何れか一項に記載の受信装置であって、
前記受信用アンテナは複数用意され、前記特性変更手段は前記アンテナ制御手段による制御に基づいて当該複数の受信用アンテナの何れか一つを選択することを特徴とする。
【００１６】
請求項９に記載の発明の受信回路は、
受信用アンテナの受信特性を変更させる特性変更回路（例えば、図１の可変特性アンテナ部３００）と、
前記受信用アンテナにより受信された受信信号の受信品位を検出する受信品位検出回路（例えば、図１の受信品位検出回路２６）と、
この受信品位検出回路による検出結果に基づいて前記受信用アンテナの受信特性を変更させるように前記特性変更回路を制御するアンテナ制御回路（例えば、図１，２のアンテナ制御回路２７）と、
を備え、
前記アンテナ制御回路は、
前記受信品位検出回路により検出された現在の受信品位の値と前回検出された受信品位の値とを比較する比較回路（例えば、図２の比較器２７２）と、
この比較回路により現在の受信品位の値が前回検出された受信品位の値より悪くなったと判断された場合に、前記受信用アンテナの受信特性を変更させるように前記特性変更回路を制御する変更制御回路（例えば、図２の切替器２７３）と、
を有することを特徴とする。
【００１７】
請求項１０に記載の発明の受信回路は、
受信用アンテナの受信特性を変更させる特性変更回路（例えば、図１の可変特性アンテナ部３００）と、
前記受信用アンテナにより受信された受信信号の受信品位を検出する受信品位検出回路（例えば、図１の受信品位検出回路２６）と、
この受信品位検出回路による検出結果に基づいて前記受信用アンテナの受信特性を変更させるように前記特性変更回路を制御するアンテナ制御回路（例えば、図６のアンテナ制御回路２７ａ）と、
を備え、
前記アンテナ制御回路は、
前記受信品位検出回路により検出された受信品位の値と予め設定された閾値とを比較する第１の比較回路（例えば、図６の比較器２７４ａ）と、
前記受信品位検出回路により検出された現在の受信品位の値と前回検出された受信品位の値とを比較する第２の比較回路（例えば、図６の比較器２７２ａ）と、
前記第１の比較回路により受信品位の値が前記閾値より悪いと判断され、且つ、前記第２の比較回路により現在の受信品位の値が前回検出された受信品位の値より悪いと判断された場合に、前記受信用アンテナの受信特性を変更させるように前記特性変更回路を制御する変更制御回路（例えば、図６の切替器２７３ａ）と、
を有することを特徴とする。
【００１８】
請求項１１に記載の発明の受信回路は、
受信用アンテナの受信特性を変更させる特性変更回路（例えば、図１の可変特性アンテナ部３００）と、
前記受信用アンテナにより受信された受信信号の受信品位を検出する受信品位検出回路（例えば、図１の受信品位検出回路２６）と、
この受信品位検出回路による検出結果に基づいて前記受信用アンテナの受信特性を変更させるように前記特性変更回路を制御するアンテナ制御回路（例えば、図９のアンテナ制御回路２７ｂ）と、
を備え、
前記アンテナ制御回路は、
前記受信品位検出回路により検出された受信品位の値と予め設定された閾値とを比較する第１の比較回路（例えば、図９の比較器２７４ｂ）と、
前記受信品位検出回路により検出された現在の受信品位の値と前回検出された受信品位の値とを比較する第２の比較回路（例えば、図９の比較器２７２ｂ）と、
前記受信品位検出回路により検出された前回の受信品位の値と前記閾値とを比較する第３の比較回路（例えば、図９の比較器２７５ｂ）と、
（１）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より良いと判断された場合、又は、（２）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より悪いと判断され、且つ、前回前記受信用アンテナの受信特性を変更した場合に、前記受信用アンテナの受信特性を変更させるように前記特性変更回路を制御する変更制御回路（例えば、図９の切替器２７３ｂ）と、
を有することを特徴とする。
【００１９】
請求項１２に記載の発明の受信回路は、
受信用アンテナの受信特性を変更させる特性変更回路（例えば、図１の可変特性アンテナ部３００）と、
前記受信用アンテナにより受信された受信信号の受信品位を検出する受信品位検出回路（例えば、図１の受信品位検出回路２６）と、
この受信品位検出回路による検出結果に基づいて前記受信用アンテナの受信特性を変更させるように前記特性変更回路を制御するアンテナ制御回路（例えば、図１２のアンテナ制御回路２７ｃ）と、
予め定められた閾値を記憶するレジスタ回路（例えば、図１２のレジスタ２７７１）と、
前記受信品位検出回路により検出された受信品位の値と前記レジスタ回路に記憶された閾値とを比較する比較回路（例えば、図１２の比較器２７６１）と、
を備え、
前記アンテナ制御回路は、前記比較回路による比較結果から、前記受信品位検出回路により検出される受信品位の値が前記レジスタ回路に記憶された閾値よりも低い状態が予め定められた時間継続されたと判断した場合に、前記受信用アンテナの受信特性を変更させるように前記特性制御回路を制御する変更制御回路（例えば、図１２の制御回路２７９ｃ）を有することを特徴とする。
【００２０】
請求項１３に記載の発明は、請求項１２に記載の受信回路であって、
前記アンテナ制御回路は、前記比較回路による比較結果から、前記受信品位検出回路により検出された受信品位の値が前記レジスタ回路に記憶された閾値よりも高いと判断した場合に、前記レジスタ回路に記憶された閾値を現在記憶されている値よりも高い値に変更するように制御するレジスタ値変更制御回路（例えば、図１５の制御回路２７９ｄ）を有することを特徴とする。
【００２１】
請求項１４に記載の発明は、請求項１２に記載の受信回路であって、
前回の受信品位の値を記憶する第２のレジスタ回路（例えば、図１５のレジスタ２７７２）と、
この第２のレジスタ回路に記憶された前回の受信品位の値と前記受信品位検出回路により検出された受信品位の値とを比較する第２の比較回路（例えば、図１５の比較器２）と、
を更に備え、
前記アンテナ制御回路は、前記比較回路による比較結果から、前記受信品位検出回路により検出された受信品位の値が前記レジスタ回路に記憶された閾値よりも低く、且つ、前記第２の比較回路による比較結果から、前記受信品位検出回路により検出された受信品位の値が前回の受信品位の値よりも悪くなったと判断した場合に、前記レジスタ回路に記憶された閾値を現在記憶されている値よりも低い値に変更するように制御するレジスタ値変更制御回路（例えば、図１５の制御回路２７９ｄ）を有することを特徴とする。
【００２２】
請求項１５に記載の発明は、請求項９〜１４の何れか一項に記載の受信回路であって、
前記特性変更回路は、前記受信用アンテナの近傍に配置され、前記アンテナ制御回路による制御に基づいた電圧が印加されることにより当該受信用アンテナの受信特性を変更させる補助アンテナ（例えば、図１の補助アンテナ３２）を有することを特徴とする。
【００２３】
請求項１６に記載の発明は、請求９〜１４の何れか一項に記載の受信回路であって、
前記受信用アンテナは複数用意され、前記特性変更回路は前記アンテナ制御回路による制御に基づいて当該複数の受信用アンテナの何れか一つを選択することを特徴とする。
【００２４】
請求項１７に記載の発明の受信方法は、
受信用アンテナの受信特性を変更させる特性変更工程（例えば、図３のステップＡ４）と、
前記受信用アンテナにより受信された受信信号の受信品位を検出する受信品位検出工程（例えば、図３のステップＡ２）と、
この受信品位検出工程による検出結果に基づいて前記受信用アンテナの受信特性を変更させるように前記特性変更工程を制御するアンテナ制御工程（例えば、図３のステップＡ３〜Ａ４）と、
を含み、
前記アンテナ制御工程には、
前記受信品位検出工程により検出された現在の受信品位の値と前回検出された受信品位の値とを比較する比較工程（例えば、図３のステップＡ３）と、
この比較工程により現在の受信品位の値が前回検出された受信品位の値より悪くなったと判断された場合に、前記受信用アンテナの受信特性を変更させるように前記特性変更工程を制御する変更制御工程（例えば、図３のステップＡ４）と、
が含まれることを特徴とする。
【００２５】
請求項１８に記載の発明の受信方法は、
受信用アンテナの受信特性を変更させる特性変更工程（例えば、図７のステップＢ５）と、
前記受信用アンテナにより受信された受信信号の受信品位を検出する受信品位検出工程（例えば、図７のステップＢ２）と、
この受信品位検出工程による検出結果に基づいて前記受信用アンテナの受信特性を変更させるように前記特性変更工程を制御するアンテナ制御工程（例えば、図７のステップＢ３〜Ｂ５）と、
を含み、
前記アンテナ制御工程には、
前記受信品位検出工程により検出された受信品位の値と予め設定された閾値とを比較する第１の比較工程（例えば、図７のステップＢ３）と、
前記受信品位検出工程により検出された現在の受信品位の値と前回検出された受信品位の値とを比較する第２の比較工程（例えば、図７のステップＢ４）と、
前記第１の比較工程により受信品位の値が前記閾値より悪いと判断され、且つ、前記第２の比較工程により現在の受信品位の値が前回検出された受信品位の値より悪いと判断された場合に、前記受信用アンテナの受信特性を変更させるように前記特性変更工程を制御する変更制御工程（例えば、図７のステップＢ５）と、
が含まれることを特徴とする。
【００２６】
請求項１９に記載の発明の受信方法は、
受信用アンテナの受信特性を変更させる特性変更工程（例えば、図１０のステップＣ７）と、
前記受信用アンテナにより受信された受信信号の受信品位を検出する受信品位検出工程（例えば、図１０のステップＣ２）と、
この受信品位検出工程による検出結果に基づいて前記受信用アンテナの受信特性を変更させるように前記特性変更工程を制御するアンテナ制御工程（例えば、図１０のステップＣ３〜Ｃ７）と、
を含み、
前記アンテナ制御工程には、
前記受信品位検出工程により検出された受信品位の値と予め設定された閾値とを比較する第１の比較工程（例えば、図１０のステップＣ３）と、
前記受信品位検出工程により検出された現在の受信品位の値と前回検出された受信品位の値とを比較する第２の比較工程（例えば、図１０のステップＣ４）と、
前記受信品位検出工程により検出された前回の受信品位の値と前記閾値とを比較する第３の比較工程（例えば、図１０のステップＣ５）と、
（１）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より良いと判断された場合、又は、（２）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より悪いと判断され、且つ、前回前記受信用アンテナの受信特性を変更した場合に、前記受信用アンテナの受信特性を変更させるように前記特性変更工程を制御する変更制御工程（例えば、図１０のステップＣ７）と、
が含まれることを特徴とする。
【００２７】
請求項２０に記載の発明の受信方法は、
受信用アンテナの受信特性を変更させる特性変更工程（例えば、図１３のステップＤ１９）と、
前記受信用アンテナにより受信された受信信号の受信品位を検出する受信品位検出工程（例えば、図１３のステップＤ３）と、
この受信品位検出工程による検出結果に基づいて前記受信用アンテナの受信特性を変更させるように前記特性変更工程を制御するアンテナ制御工程（例えば、図１３のステップＤ１９）と、
予め定められた閾値を記憶するレジスタ工程（例えば、図１３のステップＤ１）と、
前記受信品位検出工程により検出された受信品位の値と前記レジスタ工程に記憶された閾値とを比較する比較工程（例えば、図１３のステップＤ５）と、
を含み、
前記アンテナ制御工程には、前記比較工程による比較結果から、前記受信品位検出工程により検出される受信品位の値が前記レジスタ工程に記憶された閾値よりも低い状態が予め定められた時間継続されたと判断した場合に、前記受信用アンテナの受信特性を変更させるように前記特性制御工程を制御する変更制御工程（例えば、図１３のステップＤ１９）が含まれることを特徴とする。
【発明の効果】
【００２８】
請求項１、９又は１７に記載の発明によれば、受信信号の前回の受信品位の値と現在の受信品位の値とを比較し、その比較結果に応じて受信用アンテナの受信特性を変更させることができる。即ち、受信信号の受信品位が前回の受信品位より悪くなった場合に受信用アンテナの受信特性を変化させて電波の受信状態を変更させるため、受信帯域と同じ帯域にノイズが発生している場合であっても、前回よりも良い受信品位を確保することができる。
【００２９】
請求項２、１０又は１８に記載の発明によれば、受信信号の現在の受信品位の値と閾値、前回の受信品位の値と現在の受信品位の値、をそれぞれ比較し、その比較結果に基づいて受信用アンテナの受信特性を変更させることができる。即ち、受信信号の受信品位が閾値より悪く、且つ前回の受信品位より悪くなった場合に受信用アンテナの受信特性を変更させて電波の受信状態を変化させるため、受信帯域と同じ帯域にノイズが発生している場合であっても、最適な受信品位を確保することができる。
【００３０】
請求項３、１１又は１９に記載の発明によれば、受信信号の現在の受信品位の値と閾値、前回の受信品位の値と現在の受信品位の値、前回の受信品位の値と閾値、をそれぞれ比較し、その比較結果と前回受信用アンテナの特性を変更したか否かに基づいて受信用アンテナの受信特性を変更させることができる。即ち、上記比較結果と前回受信用アンテナの受信特性を変更させたか否かに基づいて受信用アンテナの受信特性を変更させて電波の受信状態を変化させるため、受信帯域と同じ帯域にノイズが発生している場合であっても、常に最適な受信品位を確保することができる。
【００３１】
請求項４、１２又は２０に記載の発明によれば、受信信号の受信品位の値と閾値とを比較し、その比較結果に基づいて受信用アンテナの受信特性を変更させることができる。即ち、閾値よりも低い状態が予め定められた時間継続された場合、受信用アンテナの受信特性を変更させることで電波の受信状態を変更させるため、受信帯域と同じ帯域にノイズが発生している場合であっても、常に最適な受信品位を確保することが可能となる。また、受信用アンテナの受信特性の変更が行われない状態が所定時間以上継続されないため、より最適な受信品位を確保することが可能となる。
【００３２】
請求項５又は１３に記載の発明によれば、受信品位の値が閾値より高い場合、この閾値が現在の値よりも高い値に変更される。
【００３３】
請求項６又は１４に記載の発明によれば、受信品位の値が閾値より低く、且つ、受信品位の値が前回の受信品位の値より悪くなった場合、この閾値が現在の値より低い値に更新される。このため、劣悪な受信環境下であっても、受信用アンテナの受信特性の変更が行われない状態が所定時間以上継続されることなく、より最適な受信品位を確保することが可能となる。
【００３４】
請求項７又は１５に記載の発明によれば、単一の受信用アンテナに対して受信特性を変化させるため、アンテナを受信装置に複数配設し、受信品位の良い受信信号を選択又は合成するような必要がなく、受信装置の小型化を図ることができる。
【００３５】
請求項８又は１６に記載の発明によれば、複数の受信用アンテナの何れか１つを選択することで、受信用アンテナの受信特性が変更される。
【発明を実施するための最良の形態】
【００３６】
以下、本発明の実施の形態を図示例と共に説明する。また、以下で説明する実施の形態は本発明の受信装置をＯＦＤＭ方式を採用するデジタル放送の電波を受信するための移動通信端末用の受信装置に適用した場合について説明する。
【００３７】
〔第１の実施の形態〕
図１は、ＯＦＤＭ方式を採用するデジタル放送の電波を受信する受信装置１００のブロック図である。受信装置１００は、可変特性アンテナ部３００と、チューナー回路１１と、復調部２００とによって構成される。
【００３８】
まず、可変特性アンテナ部３００について説明する。可変特性アンテナ部３００は、アンテナ３１と、補助アンテナ３２と、インダクタ３３と、バリキャップ３４とによって構成される。アンテナ３１はデジタル放送の電波を受信し、受信した電波を電気信号に変換して出力する。補助アンテナ３２にはインダクタ３３の一端とバリキャップの一端が接続される。インダクタ３３の他端は後述するアンテナ制御回路２７の出力端子に接続され、バリキャップ３４の他端は接地される。
【００３９】
アンテナ３１に対する補助アンテナ３２の配設位置は、補助アンテナ３２に電圧が印加された時に補助アンテナ３２の周囲に発生する電界の影響をアンテナ３１が受けられる位置に設定される。これにより、補助アンテナ３２に電圧が印加されると、補助アンテナ３２の周囲の電界（電位）の強さが大きく変化し、アンテナ３１の指向性等の受信特性に影響を与える。また、アンテナ３１と補助アンテナ３２の軸方向は互いに平行になるように配設される。補助アンテナ３２は、例えば金属等の導電体によって形成される。
【００４０】
チューナー回路１１は、アンテナ３１から出力された電気信号を入力して増幅し、所望の放送波周波数への同調を行う。
【００４１】
復調部２００は、ＡＤＣ（Analog to Digital Converter）２１と、ＦＦＴ（Fast Fourier Transform）２２と、伝送路等価回路２３と、復調回路２４と、誤り訂正回路２５と
、受信品位検出回路２６と、アンテナ制御回路２７とによって構成される。
【００４２】
チューナー回路１１から出力された信号は、ＡＤＣ２１によってアナログからデジタルに変換され、ＦＦＴ２２によってフーリエ変換処理が行われる。ＦＦＴ２２から出力された信号は伝送路等価回路２３によって波形等価（振幅等価及び位相等価）処理が施され、更に復調回路２４によって復調処理が施される。復調回路２４から出力された信号は、誤り訂正回路２５によって誤り訂正処理が施され、ＴＳ（Transport Stream）として受信装置１００の外部へ出力される。
【００４３】
更に、ＦＦＴ２２から出力された信号は受信品位検出回路２６に入力され、当該信号の受信品位の値が計算される。受信品位の値は、Ｃ／Ｎ値や受信電界強度等の値に基づいて計算される。アンテナ制御回路２７は受信品位検出回路２６によって計算された受信品位の値を入力し、前回の受信品位の値と現在の受信品位の値とを比較して、比較結果に基づいて信号Ｓ３の電圧レベルをＶ０［Ｖ］又はＶ１［Ｖ］のいずれかに設定して出力する。受信品位検出回路２６によって計算された受信品位の値はレジスタ２７１に格納され、前回の受信品位の値として使用される。
【００４４】
尚、電圧Ｖ０［Ｖ］は、アンテナ３１の受信特性を変化させるほどの強い電界（電位）を補助アンテナ３２の周囲に発生させない電圧レベルである。電圧Ｖ１［Ｖ］は、アンテナ３１の受信特性を大きく変化させる強い電界を補助アンテナ３２の周囲に発生させるような電圧レベルである。何れの電圧レベルも設計上適宜に設定されるものである。
【００４５】
図２はアンテナ制御回路２７のブロック図である。アンテナ制御回路２７は比較器２７２と、切替器２７３と、レジスタ２７１とによって構成される。レジスタ２７１からは端子ＯＵＴ３１を介して前回の受信品位の値（Ｓ０）が出力される。またレジスタ２７１の端子ＩＮ３１を介して現在の受信品位の値（Ｓ１）が入力され、前回の受信品位の値（Ｓ０）として更新されて記憶される。比較器２７２の端子ＩＮ１１には現在の受信品位の値（Ｓ１）が入力され、端子ＩＮ１２にはレジスタ２７１に格納された前回の受信品位の値（Ｓ０）が入力される。比較器２７２は現在の受信品位の値（Ｓ１）と前回の受信品位の値（Ｓ０）とを比較し、現在の受信品位の値（Ｓ１）が前回の受信品位の値（Ｓ０）より低い、即ち悪くなっている場合に、端子ＯＵＴ１１から信号Ｓ２として“１”を出力する。一方、現在の受信品位の値（Ｓ１）が前回の受信品位の値（Ｓ０）以上の場合、比較器２７２は端子ＯＵＴ１１から信号Ｓ２として“０”を出力する。
【００４６】
切替器２７３の端子ＩＮ２１には、比較器２７２から出力された信号Ｓ２が入力される。切替器２７３は信号Ｓ２に従って信号Ｓ３の電圧レベルを切り替えて端子ＯＵＴ２１から出力する。受信装置１００の電源投入時における信号Ｓ３の電圧レベルはＶ０［Ｖ］とする。その後、信号Ｓ２が“１”の時、切替器２７３は信号Ｓ３の電圧レベルをＶ０［Ｖ］からＶ１［Ｖ］、或いはＶ１［Ｖ］からＶ０［Ｖ］に切り替えて出力する。一方、信号Ｓ２が“０”の時、切替器２７３は信号Ｓ３の電圧レベルを保持する。尚、切替器２７３による信号Ｓ３の電圧レベルの切替えは、図示しないクロック回路から出力されるクロック信号に同期して所定の周期で行われる。
【００４７】
図１に戻る。アンテナ制御回路２７から出力された信号Ｓ３は、インダクタ３３を介して補助アンテナ３２に印加される。ここで、補助アンテナ３２に印加される電圧がＶ０［Ｖ］の時、補助アンテナ３２の周囲に強い電界が発生しないため、アンテナ３１は、受信特性を切替えることなく第１の受信特性にて電波を受信する。一方、Ｖ１［Ｖ］の時、補助アンテナ３２の周囲に強い電界が発生するため、アンテナ３１は、受信特性を第１の受信特性とは異なる第２の受信特性に切替えて電波を受信する。
【００４８】
つまり、受信品位が悪くなった場合は、信号Ｓ３の電圧レベルを切り替えて補助アンテナ３２の周囲に発生する電界（電位）の強さを変化させることにより、アンテナ３１の受信特性を変化させて、電波の受信状態を変化させる。これにより、常に最適な受信品位を維持することができる。
【００４９】
図３は、受信品位検出回路２６とアンテナ制御回路２７の動作の流れを説明するためのフローチャートである。まず、補助アンテナ２７は、受信品位の値と最初に比較するための比較値の初期値をレジスタ２７１に記憶させる。初期値は所定の値でもよいし、現在の受信品位の値を初期値としてレジスタ２７１に記憶してもよい。（ステップＡ１）。そして受信品位検出回路２６は、現在の受信品位を算出する（ステップＡ２）。比較器２７２は現在の受信品位の値とレジスタ２７１に記憶された前回の受信品位の値（又は初期値）とを比較し、現在の受信品位の値が前回の受信品位の値以上となり、受信品位が前回より良くなった場合（ステップＡ３；Ｎｏ）はステップＡ５に進む。一方、現在の受信品位の値が前回の受信品位未満となり、受信品位が前回の値より悪くなっている場合（ステップＡ３；Ｙｅｓ）、比較器２７２は信号Ｓ２として“１”を出力する。これにより、切替器２７３は信号Ｓ３の電圧レベルをＶ０［Ｖ］からＶ１［Ｖ］、或いはＶ１［Ｖ］からＶ０［Ｖ］に切り替える（ステップＡ４）。そしてアンテナ制御回路２７はレジスタ２７１の記憶内容を現在の受信品位の値に更新する（ステップＡ５）。
【００５０】
図４は受信品位検出回路２６から出力された受信品位の値と、信号Ｓ３の電圧レベルとを示したグラフである。縦軸は受信品位の値レベル、又は信号Ｓ３の電圧レベルで、横軸は時間を示す。まず受信装置１００の電源投入時（時間ｔ０）、信号Ｓ３の電圧レベルはＶ０［Ｖ］である。補助アンテナ３２の周囲にはほとんど電界が発生せず、アンテナ３１は第１の受信特性で電波を受信する。
【００５１】
次に時間ｔ１のとき、受信品位の値は時間ｔ０の時の受信品位の値より悪くなっているため、比較器２７２は信号Ｓ２として“１”を出力する。これにより切替器２７３は信号Ｓ３の電圧レベルをＶ０［Ｖ］からＶ１［Ｖ］に切り替える。補助アンテナ３２には電圧Ｖ１［Ｖ］が印加されるため、補助アンテナ３２の周囲に強い電界が発生し、アンテナ３１は第２の受信特性で電波を受信する。
【００５２】
続いて時間ｔ２の時、受信品位の値は時間ｔ１の時の受信品位の値より再び悪くなっているため、比較器２７２は信号Ｓ２として再度“１”を出力する。これにより切替器２７
３は信号Ｓ３の電圧レベルをＶ１［Ｖ］からＶ０［Ｖ］に切り替える。補助アンテナ３２には電圧Ｖ０［Ｖ］が印加され、アンテナ３１は第１の受信特性で電波を受信する。以降、このような制御を繰り返す。
【００５３】
図５は、ある実験場において、受信装置１００の配置位置を徐々に変化させていった場合に得られた受信品位の値（Ｃ／Ｎ値）を示したグラフである。縦軸はＣ／Ｎ値、横軸は所定基準位置から受信装置１００をずらした距離を示す。本実施形態の受信装置１００は移動通信端末用の受信装置であるため、受信装置１００を所定位置から移動させることによって電波の受信状況を変化させ、その時のＣ／Ｎ値を測定した。グラフ上の線Ｇ１はアンテナ３１の特性を常時第１の受信特性としたときのＣ／Ｎ値、線Ｇ２はアンテナ３１の特性を常時第２の受信特性としたときのＣ／Ｎ値、線Ｇ３はＣ／Ｎ値の変化によって補助アンテナ３２に印加する電圧の切替制御を行ったときときのＣ／Ｎ値を表す。
【００５４】
受信装置１００の位置が１［ｃｍ］〜６［ｃｍ］のとき、アンテナ３１を第１の受信特性としたときより、第２の受信特性としたときの方がＣ／Ｎ値は高い。このとき、補助アンテナ３２に印加する電圧の切替制御を行ったときのＣ／Ｎ値は、受信品位の良い方である第２の受信特性としたときのＣ／Ｎ値に追従している。
【００５５】
また、受信装置１００の位置が７［ｃｍ］〜１２［ｃｍ］のとき、アンテナ３１を第２の受信特性としたときより第１の受信特性としたときの方がＣ／Ｎ値が高い。このとき、補助アンテナ３２に印加する電圧の切替制御を行ったときのＣ／Ｎ値は、受信品位の良い方である第１の受信特性としたときのＣ／Ｎ値にほぼ追従している。このことから、受信信号の受信品位の値の変化に従って、アンテナ制御回路２７が補助アンテナ３２に印加する電圧を切り替えてアンテナ３１の受信特性を変化させることにより、受信品位の値を常に最適な状態に維持していることが分かる。
【００５６】
以上のように、受信信号の前回の受信品位の値と現在の受信品位の値とを比較し、その比較結果に応じて補助アンテナ３２に印加する電圧を切り替えることにより、補助アンテナ３２の周囲に発生する電界を変化させ、アンテナ３１の受信特性を変化させることができる。即ち、受信信号の受信品位の値が前回の受信品位より悪くなった場合に補助アンテナ３２に印加する電圧を切り替え、アンテナ３１の受信特性を変化させて電波の受信状態を変化させるため、受信帯域と同じ帯域にノイズが発生している場合であっても、前回よりも良い受信品位を確保することができる。
【００５７】
更に、単一のアンテナに対して受信特性を変化させるため、アンテナを受信装置に複数配設し、受信品位の良い受信信号を選択、又は合成するような必要がなく、受信装置の小型化を図ることができる。
【００５８】
また、受信信号に基づきアンテナ３１の受信特性を変化させる制御は所謂フィードバック制御であるが、このフィードバック制御においてアンテナ３１の受信特性を変化させるために、誤り訂正回路２５で算出されるビットエラーレートを用いず、前段の信号（ＦＥＴ２２の出力信号）の受信品位の値を算出してアンテナ３１の受信特性を変化させるため、アンテナ３１の受信特性の変化を素早く行うことができる。これにより、受信装置１００の受信性能を向上させることができる。
【００５９】
尚、フィードバック制御の高速性の要求に見合う範囲であれば、ＦＦＴ２２から出力された信号から受信品位の値（Ｃ／Ｎ値等）を算出するのではなく、誤り訂正回路２５で算出されるビットエラーレートを受信品位の値として用いてもよいことは勿論である。この場合、誤り訂正回路２５で算出されたビットエラーレートがアンテナ制御回路２７に入力され、ビットエラーレートの変化に応じて補助アンテナ３２に印加される電圧が切り替えられる。
【００６０】
また、アンテナ制御回路２７は受信品位の値の変化に応じて、信号Ｓ３をＶ０［Ｖ］又はＶ１［Ｖ］の２つの電圧レベルで切り替えて出力することとしたが、３つ以上の複数の電圧レベルから選択的に電圧レベルを決定することとしてもよい。
【００６１】
〔第２の実施の形態〕
第１の実施の形態では、受信信号の現在の受信品位と前回の受信品位とを比較して、比較結果に応じて補助アンテナ３２に印加する電圧を切り替える場合について説明した。第２の実施の形態では、受信信号の現在の受信品位と前回の受信品位の比較結果、及び現在の受信品位と受信品位の閾値の比較結果に応じて補助アンテナ３２に印加する電圧を切り替える場合について説明する。尚、第２の実施の形態における受信装置の構成は、第１の実施の形態にて説明した受信装置１００のアンテナ制御回路２７を図６に示すアンテナ制御回路２７ａとしたものである。従って、同一の構成要素については説明を省略し、アンテナ制御回路２７ａについてのみ説明する。
【００６２】
図６はアンテナ制御回路２７ａのブロック図である。アンテナ制御回路２７ａは比較器２７２ａと、比較器２７４ａと、切替器２７３ａと、レジスタ２７１ａとによって構成される。レジスタ２７１ａからは端子ＯＵＴ３１を介して前回の受信品位の値（Ｓ０）が出力され、端子ＯＵＴ３２を介して閾値（Ｓ５）が出力される。またレジスタ２７１ａの端子ＩＮ３１を介して現在の受信品位の値（Ｓ１）が入力され、前回の受信品位の値（Ｓ０）として更新されて記憶される。比較器２７２ａの端子ＩＮ１１には現在の受信品位の値（Ｓ１）が入力され、端子ＩＮ１２にはレジスタ２７１ａに格納された前回の受信品位の値（Ｓ０）が入力される。比較器２７４ａの端子ＩＮ１３には現在の受信品位の値（Ｓ１）が入力され、端子ＩＮ１４にはレジスタ２７１ａに格納された受信品位の閾値（Ｓ５）（以下、単に「閾値」と言う）が入力される。閾値（Ｓ５）とは最低限維持したい受信品位の値が設定されたものであり、予めレジスタ２７１ａに設定された値である。
【００６３】
比較器２７２ａは現在の受信品位の値（Ｓ１）と前回の受信品位の値（Ｓ０）とを比較し、現在の受信品位の値（Ｓ１）が前回の受信品位の値（Ｓ０）より低下し、受信品位が前回より悪くなっている場合に、端子ＯＵＴ１１から信号Ｓ２ａとして“１”を出力する。一方、現在の受信品位の値（Ｓ１）が前回の受信品位の値（Ｓ０）と同じ、又は前回の受信品位の値（Ｓ０）より高くなり、受信品位が前回より良くなっている場合、比較器２７２ａは端子ＯＵＴ１１から信号Ｓ２ａとして“０”を出力する。
【００６４】
比較器２７４ａは現在の受信品位の値（Ｓ１）と閾値（Ｓ５）とを比較し、現在の受信品位の値が閾値（Ｓ５）より低い（悪い）場合に、端子ＯＵＴ１２から信号Ｓ４ａとして“１”を出力する。一方、現在の受信品位の値（Ｓ１）が閾値（Ｓ５）と同じ、又は閾値（Ｓ５）より高く（良く）なっている場合、比較器２７４ａは端子ＯＵＴ１２から信号Ｓ４ａとして“０”を出力する。
【００６５】
切替器２７３ａの端子ＩＮ２２には比較器２７２ａから出力された信号Ｓ２ａが入力され、端子ＩＮ２３には比較器２７４ａから出力された信号Ｓ４ａが入力される。切替器２７３ａは信号Ｓ２ａ及び信号Ｓ４ａに従って信号Ｓ３の電圧レベルを切り替えて端子ＯＵＴ２２から出力する。受信装置１００の電源投入時における信号Ｓ３の電圧レベルはＶ０［Ｖ］とする。その後、信号Ｓ２ａが“１”且つ信号Ｓ４ａが“１”の時、切替器２７３ａは信号Ｓ３の電圧レベルをＶ０［Ｖ］からＶ１［Ｖ］、或いはＶ１［Ｖ］からＶ０［Ｖ］に切り替えて出力する。一方、信号Ｓ２ａが“０”且つ信号Ｓ４ａが“１”の時、又は、信号Ｓ２ａが“１”且つ信号Ｓ４ａが“０”の時、又は、信号Ｓ２ａが“０”且つ信号Ｓ４ａが“０”の時、切替器２７３ａは信号Ｓ３の電圧レベルを保持する。尚、切替器２７３ａが信号Ｓ３の電圧レベルを切り替えるか否かの判断は、図示しないクロック回路から出力されるクロック信号に同期して所定の周期で行われる。
【００６６】
つまり、現在の受信品位の値（Ｓ１）が前回の受信品位の値（Ｓ０）より低く（悪く）、且つ、現在の受信品位の値（Ｓ１）が閾値（Ｓ５）より低い場合、切替器２７３ａは信号Ｓ３の電圧レベルを切り替える。一方、現在の受信品位の値（Ｓ１）は閾値（Ｓ５）より低い（悪い）が前回の受信品位の値（Ｓ０）以上の場合、又は現在の受信品位の値（Ｓ１）と前回の受信品位の値（Ｓ０）の比較結果に関わらず現在の受信品位の値（Ｓ１）が閾値（Ｓ５）以上の場合、切替器２７３ａは信号Ｓ３の電圧レベルを切り替えずに維持する。
【００６７】
図７は、受信品位検出回路２６とアンテナ制御回路２７ａの動作の流れを説明するためのフローチャートである。まず、補助アンテナ２７ａは、最初に受信品位の値と比較するための比較値の初期値をレジスタ２７１ａに記憶させる（ステップＢ１）。受信品位検出回路２６は、現在の受信品位を算出する（ステップＢ２）。比較器２７４ａは現在の受信品位の値とレジスタ２７１ａに記憶された閾値を比較し、現在の受信品位の値が閾値以上の場合（ステップＢ３；Ｎｏ）、比較器２７４ａは信号Ｓ４ａとして“０”を出力し、ステップＢ６に進む。一方、現在の受信品位の値が閾値より悪い場合（ステップＢ３；Ｙｅｓ）、比較器２７４ａは信号Ｓ４ａとして“１”を出力する。
【００６８】
比較器２７２ａは現在の受信品位の値とレジスタ２７１ａに記憶された前回の受信品位の値（又は初期値）を比較し、現在の受信品位の値が前回の受信品位の値以上の場合（ステップＢ４；Ｎｏ）、ステップＢ６に進む。一方、現在の受信品位の値が前回の受信品位の値より悪くなっている場合（ステップＢ４；Ｙｅｓ）、信号Ｓ２ａとして“１”を出力する。そして、切替器２７３ａは信号Ｓ３の電圧レベルをＶ０［Ｖ］からＶ１［Ｖ］、或いはＶ１［Ｖ］からＶ０［Ｖ］に切り替える（ステップＢ５）。続いて、アンテナ制御回路２７はレジスタ２７１ａの記憶内容を現在の受信品位の値に更新する（ステップＢ６）。
【００６９】
図８は受信品位検出回路２６から出力された受信品位の値と、アンテナ制御回路２７ａから出力された信号Ｓ３の電圧レベルとを示したグラフである。縦軸は受信品位の値レベル、又は信号Ｓ３の電圧レベルで、横軸は時間を示す。まず受信装置１００の電源投入時（時間ｔ０）、信号Ｓ３の電圧レベルはＶ０［Ｖ］である。補助アンテナ３２の周囲にはほとんど電界が発生せず、アンテナ３１は第１の受信特性で電波を受信する。
【００７０】
次に時間ｔ１のとき、受信品位の値は時間ｔ０の時の受信品位の値より低く（悪く）なっているため、比較器２７２ａは信号Ｓ２ａとして“１”を出力する。しかし、受信品位の値は閾値以上であるため、比較器２７４ａは信号Ｓ４ａとして“０”を出力する。従って、切替器２７３ａは信号Ｓ３の電圧レベルを切り替えずに維持する。
【００７１】
続いて時間ｔ２の時、受信品位の値は時間ｔ１の時の受信品位の値より低く（悪く）なっているため、比較器２７２ａは信号Ｓ２として再度“１”を出力する。更に受信品位の値は閾値より低く（悪く）なっているため、比較器２７４ａは信号Ｓ４ａとして“１”を出力する。これにより切替器２７３ａは信号Ｓ３の電圧レベルをＶ０［Ｖ］からＶ１［Ｖ］に切り替える。補助アンテナ３２には電圧Ｖ１［Ｖ］が印加され、アンテナ３１は第２の受信特性で電波を受信する。以降、このような制御を繰り返す。
【００７２】
以上のように、受信信号の現在の受信品位の値と閾値、及び前回の受信品位の値と現在の受信品位の値、をそれぞれ比較し、その比較結果に応じて補助アンテナ３２に印加する電圧を切り替えることにより、補助アンテナ３２の周囲に発生する電界(電位)を変化させ、アンテナ３１の受信特性を変化させることができる。これにより、アンテナ３１の電波の受信状態が変化するため、受信帯域と同じ帯域にノイズが発生している場合であっても、最適な受信品位を確保することができる。
【００７３】
〔第３の実施の形態〕
第２の実施の形態では、受信信号の現在の受信品位と前回の受信品位の比較結果、及び現在の受信品位と閾値の比較結果に応じて補助アンテナ３２に印加する電圧を切り替える場合について説明した。第３の実施の形態では、（１）受信信号の現在の受信品位と前回の受信品位の比較結果、（２）現在の受信品位と閾値の比較結果、（３）前回の受信品位と閾値の比較結果、の３つの比較結果に基づいて補助アンテナ３２に印加する電圧を切り替える場合について説明しる。尚、第３の実施の形態における受信装置の構成は、第１の実施の形態にて説明した受信装置１００のアンテナ制御回路２７を図９に示すアンテナ制御回路２７ｂとしたものである。従って、同一の構成要素については説明を省略し、アンテナ制御回路２７ｂについてのみ説明する。
【００７４】
図９はアンテナ制御回路２７ｂのブロック図である。アンテナ制御回路２７ｂは比較器２７２ｂ、２７４ｂ、２７５ｂと切替器２７３ｂと、レジスタ２７１ｂとによって構成される。レジスタ２７１ｂからは端子ＯＵＴ３１を介して前回の受信品位の値（Ｓ０）が出力され、端子ＯＵＴ３２を介して閾値（Ｓ６）が出力される。またレジスタ２７１ｂの端子ＩＮ３１を介して現在の受信品位の値（Ｓ１）が入力され、前回の受信品位の値（Ｓ０）として更新されて記憶される。比較器２７２ｂの端子ＩＮ１１には現在の受信品位の値（Ｓ１）が入力され、端子ＩＮ１２にはレジスタ２７１ｂに格納された前回の受信品位の値（Ｓ０）が入力される。比較器２７４ｂの端子ＩＮ１３には現在の受信品位の値（Ｓ１）が入力され、端子ＩＮ１４にはレジスタ２７１ｂに格納された閾値（Ｓ６）が入力される。比較器２７５ｂの端子ＩＮ１５にはレジスタ２７１ｂに格納された前回の受信品位の値（Ｓ０）が入力され、端子ＩＮ１６には閾値（Ｓ６）が入力される。
【００７５】
比較器２７２ｂは現在の受信品位の値（Ｓ１）と前回の受信品位の値（Ｓ０）とを比較し、現在の受信品位の値（Ｓ１）が前回の受信品位の値（Ｓ０）より悪くなっている場合に、端子ＯＵＴ１１から信号Ｓ２ｂとして“１”を出力する。一方、現在の受信品位の値（Ｓ１）が前回の受信品位の値（Ｓ０）以上の場合、比較器２７２ｂは端子ＯＵＴ１１から信号Ｓ２ｂとして“０”を出力する。
【００７６】
比較器２７４ｂは現在の受信品位の値（Ｓ１）と閾値（Ｓ６）とを比較し、現在の受信品位の値（Ｓ１）が閾値（Ｓ６）より悪くなっている場合に、端子ＯＵＴ１２から信号Ｓ４ｂとして“１”を出力する。一方、現在の受信品位の値（Ｓ１）が閾値（Ｓ６）以上の場合、比較器２７４ｂは端子ＯＵＴ１２から信号Ｓ４ｂとして“０”を出力する。
【００７７】
比較器２７５ｂは前回の受信品位の値（Ｓ０）と閾値（Ｓ６）とを比較し、前回の受信品位の値（Ｓ０）が閾値（Ｓ６）より悪くなっている場合に、端子ＯＵＴ１３から信号Ｓ５ｂとして“１”を出力する。一方、前回の受信品位の値（Ｓ０）が閾値（Ｓ６）以上の場合、比較器２７５ｂは端子ＯＵＴ１３から信号Ｓ５ｂとして“０”を出力する。
【００７８】
切替器２７３ｂの端子ＩＮ２４には信号Ｓ２ｂが入力され、端子ＩＮ２５には信号Ｓ４ｂが入力される。端子ＩＮ２６には信号Ｓ５ｂが入力される。またレジスタ２７１ｂには切替器２７３ｂから出力される信号Ｓ３の電圧切替に応じた電圧切替フラグが記憶される。切替器２７３ｂによって信号Ｓ３の電圧レベルが切り替えられた場合、電圧切替フラグとして“１”が記憶され、信号Ｓ３の電圧レベルが切り替えられず維持された場合、電圧切替フラグとして“０”が記憶される。切替器２７３ｂの端子ＩＮ２７にはレジスタ２７１ｂに記憶された電圧切替フラグの記憶内容が入力される。
【００７９】
そして切替器２７３ｂは信号Ｓ２ｂ、信号Ｓ４ｂ、信号Ｓ５ｂ及び電圧切替フラグに従って信号Ｓ３の電圧レベルを切り替えて端子ＯＵＴ２３から出力する。受信装置１００の電源投入時における信号Ｓ３の電圧レベルはＶ０［Ｖ］とする。その後、（１）信号Ｓ２ｂが“１”、且つ信号Ｓ４ｂが“１”、且つ信号Ｓ５ｂが“０”の時、又は（２）信号Ｓ２ｂが“１”、且つ信号Ｓ４ｂが“１”、且つ信号Ｓ５ｂが“１”、且つ電圧切替フラグが“１”の時、切替器２７３ｂは信号Ｓ３の電圧レベルをＶ０［Ｖ］からＶ１［Ｖ］、或いはＶ１［Ｖ］からＶ０［Ｖ］に切り替えて出力する。
【００８０】
一方、（３）信号Ｓ２ｂが“０”、又は（４）信号Ｓ４ｂが“０”、又は（５）信号Ｓ２ｂが“１”、且つ信号Ｓ４ｂが“１”、且つ信号Ｓ５ｂが“１”、且つ電圧切替フラグが“０”の時、切替器２７３ｂは信号Ｓ３の電圧レベルを保持する。尚、切替器２７３ｂが信号Ｓ３の電圧レベルを切り替えるか否かの判断は、図示しないクロック回路から出力されるクロック信号に同期して所定の周期で行われる。
【００８１】
つまり、（１）現在の受信品位の値（Ｓ１）が前回の受信品位の値（Ｓ０）より低く（悪く）、且つ、現在の受信品位の値（Ｓ１）が閾値（Ｓ６）より低く、且つ、前回の受信品位（Ｓ０）が閾値（Ｓ６）より高い場合、（２）現在の受信品位の値（Ｓ１）が前回の受信品位の値（Ｓ０）より低く（悪く）、且つ、現在の受信品位の値（Ｓ１）が閾値（Ｓ６）より低く、且つ、前回の受信品位の値（Ｓ０）も閾値（Ｓ６）より低くて、前回信号Ｓ３の電圧レベルを切り替えた場合、切替器２７３ｂは信号Ｓ３の電圧レベルを切り替える。しかし、（３）現在の受信品位の値（Ｓ１）が前回の受信品位の値（Ｓ０）以上の場合、又は（４）現在の受信品位の値（Ｓ１）が閾値（６）以上の場合、又は（５）現在の受信品位の値（Ｓ１）が前回の受信品位の値（Ｓ０）より悪くて閾値（Ｓ６）より低く、前回の受信品位の値（Ｓ０）も閾値（Ｓ６）より低いが、前回信号Ｓ３の電圧を切り替えていない場合、切替器２７３ｂは信号Ｓ３の電圧レベルを切り替えずに維持する。
【００８２】
図１０は、受信品位検出回路２６とアンテナ制御回路２７ｂの動作の流れを説明するためのフローチャートである。まず、補助アンテナ２７ｂは、最初に現在の受信品位の値と比較するための比較値の初期値をレジスタ２７１ｂに記憶させる。初期値は所定の値でもよいし、現在の受信品位の値を初期値としてレジスタ２７１ｂに記憶してもよい。（ステップＣ１）。受信品位検出回路２６は、現在の受信品位を算出する（ステップＣ２）。比較器２７４ｂは現在の受信品位の値とレジスタ２７１ｂに記憶された閾値を比較し、現在の受信品位の値が閾値以上の場合（ステップＣ３；Ｎｏ）、比較器２７４ｂは信号Ｓ４ｂとして“０”を出力し、ステップＣ８に進む。一方、現在の受信品位の値が閾値より悪い場合（ステップＣ３；Ｙｅｓ）、比較器２７４ｂは信号Ｓ４ｂとして“１”を出力する。
【００８３】
比較器２７２ｂは現在の受信品位の値とレジスタ２７１ｂに記憶された前回の受信品位の値（又は初期値）を比較し、現在の受信品位の値が前回の受信品位の値以上の場合（ステップＣ４；Ｎｏ）はステップＣ８に進む。一方、現在の受信品位の値が前回の受信品位の値より悪くなっている場合（ステップＣ４；Ｙｅｓ）、信号Ｓ２ｂとして“１”を出力する。
【００８４】
比較器２７５ｂはレジスタ２７１ｂに記憶された前回の受信品位の値と閾値を比較し、前回の受信品位の値が閾値以上の場合（ステップＣ５；Ｎｏ）、比較器２７５ｂは信号Ｓ５ｂとして“１”を出力する。そして、切替器２７３ｂは信号Ｓ３の電圧レベルをＶ０［Ｖ］からＶ１［Ｖ］、或いはＶ１［Ｖ］からＶ０［Ｖ］に切り替える（ステップＣ７）。
【００８５】
一方、前回の受信品位の値が閾値より悪い場合（ステップＣ５；Ｙｅｓ）、切替器２７３ｂはレジスタ２７１ｂに記憶された電圧切替フラグの０／１を判断する。“０”の場合（ステップＣ６；Ｎｏ）、ステップＣ８に進む。“１”の場合（ステップＣ６；Ｙｅｓ）、切替器２７３ｂは信号Ｓ３の電圧レベルをＶ０［Ｖ］からＶ１［Ｖ］、或いはＶ１［Ｖ］からＶ０［Ｖ］に切り替える（ステップＣ７）。
【００８６】
続いてアンテナ制御回路２７はレジスタ２７１ｂの記憶内容を現在の受信品位の値に更新する（ステップＣ８）。
【００８７】
図１１は受信品位検出回路２６から出力された受信品位の値と、アンテナ制御回路２７ｂから出力された信号Ｓ３の電圧レベルとを示したグラフである。縦軸は受信品位の値レベル、又は信号Ｓ３の電圧レベルで、横軸は時間を示す。第１の実施の形態及び第２の実施の形態のアンテナ制御回路の動作との違いを示すために、時間ｔ６から説明する。時間ｔ６において信号Ｓ３の電圧レベルはＶ１［Ｖ］であるため、アンテナ３１は第２の受信特性にて電波を受信している。
【００８８】
次に時間ｔ７のとき、受信品位の値は時間ｔ６の時の受信品位の値より良くなっているため、比較器２７２ｂは信号Ｓ２ｂとして“０”を出力する。従って、切替器２７３ｂは信号Ｓ３の電圧レベルを切り替えずにＶ１［Ｖ］を維持する。
【００８９】
続いて時間ｔ８の時、受信品位の値は時間ｔ７の時の受信品位の値より悪くなっているため、比較器２７２ｂは信号Ｓ２ｂとして“１”を出力する。また受信品位の値は閾値より悪いため比較器２７４ｂは信号Ｓ４ｂとして“１”を出力し、前回の受信品位の値も閾値より悪いため比較器２７５ｂは信号Ｓ５ｂとして“１”を出力する。しかし、時間ｔ７において信号Ｓ３の電圧レベルは切り替えられていないため、切替器２７３ｂは信号Ｓ３の電圧レベルを切り替えずにＶ１［Ｖ］を維持する。
【００９０】
そして時間ｔ１０の時、受信品位の値は時間ｔ９の時の受信品位の値より悪くて閾値より低く、更に時間ｔ９の時の受信品位の値は閾値以上であるため、切替器２７３ｂは信号Ｓ３の電圧レベルをＶ１［Ｖ］からＶ０［Ｖ］に切り替える。補助アンテナ３２には電圧Ｖ０［Ｖ］が印加され、アンテナ３１は第１の受信特性で電波を受信する。以降、このような制御を繰り返す。
【００９１】
以上のように、受信信号の現在の受信品位の値と閾値、前回の受信品位の値と現在の受信品位の値、前回の受信品位の値と閾値、をそれぞれ比較し、その比較結果と前回補助アンテナ３２に印加する電圧を切り替えたか否かに応じて補助アンテナ３２に印加する電圧を切り替えることにより、補助アンテナ３２の周囲に発生する電界（磁界）を変化させ、アンテナ３１の受信特性を変化させることができる。これにより、アンテナ３１の電波の受信状態が変化するため、受信帯域と同じ帯域にノイズが発生している場合であっても、常に最適な受信品位を確保することができる。
【００９２】
〔第４の実施の形態〕
次に、第４の実施形態を説明する。
第４の実施の形態における受信装置の構成は、第１の実施の形態において説明した受信装置１００のアンテナ制御回路２７を、図１２に示すアンテナ制御回路２７ｃとしたものである。従って、以下では、同一の構成要素については説明を省略し、アンテナ制御回路２７ｃを中心に説明する。
【００９３】
図１２は、第４の実施の形態におけるアンテナ制御回路２７ｃのブロック図である。このアンテナ制御回路２７ｃは、現在の受信品位の値と閾値との比較結果、受信信号の現在の受信品位の値と前回の受信品位の値との比較結果、前回の受信品位の値と閾値との比較結果、及び、受信品位の値が閾値より低い状態の継続時間に基づいて、補助アンテナ３２に印加する信号Ｓ３の電圧レベルを切り替えるものである。
【００９４】
同図によれば、アンテナ制御回路２７ｃは、比較器２７６１，２７６２と、レジスタ２７７０〜２７７７と、制御回路２７９ｃと、タイマ２７８とを有して構成される。
【００９５】
レジスタ２７７０には、受信品位検出回路２６から入力される現在の受信品位の値が記憶される。レジスタ２７７１には、制御回路２７９ｃから入力される、予め定められた受信品位の閾値が記憶される。レジスタ２７７２には、制御回路２７９ｃから入力される前回の受信品位の値が記憶される。レジスタ２７７３には、制御回路２７９ｃから入力される、前回の検出における信号Ｓ３の電圧レベルの切り替え有無、即ちアンテナ３１の受信特性の切り替え有無を示す値が記憶される。レジスタ２７７４には、制御回路２７９ｃから入力される、比較器２７６１による前回の比較結果、即ち前回の受信品位の値と閾値との比較結果が記憶される。
【００９６】
レジスタ２７７５には、制御回路２７９ｃから入力される、タイマ２７８がカウント動作を行っているか否かを示す値が記憶される。レジスタ２７７６には、タイマ２７８によるカウント値が記憶される。レジスタ２７７７には、制御回路２７９ｃから入力されるタイマ２７８のカウント値の規定値が記憶される。ここで、カウント値の規定値とは、受信品位の値が閾値より低い状態において、アンテナ３１の受信特性の切り替えが行われない状態が一定時間以上継続していることを検出するための当該継続時間の上限値である。
【００９７】
比較器２７６１は、受信品位検出回路２６から入力される現在の受信品位の値と、レジスタ２７７１から入力される受信品位の閾値とを比較し、比較結果に応じたレベルの信号を出力する。具体的には、現在の受信品位の値が閾値より低い（悪い）場合には“Ｈ”レベルの信号を出力し、現在の受信品位の値が閾値と同じ又は閾値より高い（良い）場合には“Ｌ”レベルの信号を出力する。
【００９８】
比較器２７６２は、受信品位検出回路２６から入力される現在の受信品位の値と、レジスタ２７７２から入力される前回の受信品位の値とを比較し、比較結果に応じたレベルの信号を出力する。具体的には、現在の受信品位の値が前回の受信品位の値より低い（悪い）場合には“Ｈ”レベルの信号を出力し、現在の受信品位の値が前回の受信品位の値と同じ又は前回の受信品位の値より高い（良い）場合には“Ｌ”レベルの信号を出力する。
【００９９】
制御回路２７９ｃは、受信品位検出回路２６から入力される受信品位の値、比較器２７６１，２７６２の比較結果、及び、レジスタ２７７０〜２７７７に記憶されている値に基づいて、信号Ｓ３の電圧レベルを、Ｖ０からＶ１に、或いは、Ｖ１からＶ０に、切り替えて出力する。
【０１００】
タイマ２７８は、制御回路２７９ｃの制御に従ったカウント動作を行う。具体的には、制御回路２７９ｃによりカウント動作の開始が指示されると、例えば不図示のクロック信号に同期してカウントアップしていく。
【０１０１】
図１３は、第４の実施の形態におけるアンテナ制御回路２７ｃの動作の流れを説明するためのフローチャートである。同図によれば、制御回路２７９ｃは、先ず、予め定められた受信品位の閾値をレジスタ２７７１に記憶させる（ステップＤ１）。
【０１０２】
次に、制御回路２７９ｃは、受信品位検出回路２６により検出された受信品位の値を、現在の受信品位としてレジスタ２７７０に記憶させる（ステップＤ３）。続いて、比較器２７６１の出力信号のレベルを判定し、そのレベルが“Ｌ”である、即ち現在の受信品位の値が閾値以上である場合（ステップＤ５：ＮＯ）、ステップＤ２５に進む。
【０１０３】
一方、比較器２７６１の出力信号のレベルが“Ｈ”である、即ち現在の受信品位の値が閾値より低い場合には（ステップＤ５：ＹＥＳ）、制御回路２７９ｃは、比較器２７６２の出力信号のレベルを判定し、そのレベルが“Ｈ”である、即ち現在の受信品位の値が前回の受信品位の値より低下している場合には（ステップＤ７：ＹＥＳ）、更に、レジスタ２７７４に記憶されている値を判定する。レジスタ２７７４に記憶されている値が“Ｌ”である、即ち前回の受信品位の値が閾値以上である場合には（ステップＤ９：ＮＯ）、ステップＤ１９に進む。
【０１０４】
一方、レジスタ２７７４に記憶されている値が“Ｈ”である、即ち前回の受信品位の値が閾値より低い場合には（ステップＤ９：ＹＥＳ）、レジスタ２７７３に記憶されている値を判定し、その値が“Ｈ”である、即ち前回の検出時にアンテナ３１の受信特性の切り替えを行っている場合（ステップＤ１１：ＹＥＳ）、ステップＤ１９に進む。
【０１０５】
レジスタ２７７３に記憶されている値が“Ｌ”である、即ち前回の検出時にアンテナ３１の受信特性の切り替えを行っていない場合（ステップＤ１１：ＮＯ）、或いは、比較器２７６２の出力信号のレベルが“Ｌ”である、即ち現在の受信品位の値が前回の受信品位の値以上となっている場合には（ステップＤ７：ＮＯ）、制御回路２７９ｃは、続いて、レジスタ２７７５に記憶されている値を判定する。レジスタ２７７５に記憶されている値が“Ｌ”である、即ちタイマ２７８がカウント動作を行っていない場合には（ステップＤ１３：ＮＯ）、タイマ２７８のカウント動作を開始させ、レジスタ２７７５にタイマ２７８がカウント動作を行っていることを示す“Ｈ”を記憶させる（ステップＤ１５）。
【０１０６】
続いて、制御回路２７９ｃは、レジスタ２７７６に記憶されている値とレジスタ２７７７に記憶されている値とを比較し、レジスタ２７７６に記憶されている値がレジスタ２７７７に記憶されている値以上である、即ちタイマ２７８のカウント値が規定値に達している場合には（ステップＤ１７：ＹＥＳ）、ステップＤ１９に進み、レジスタ２７７６に記憶されている値がレジスタ２７７７に記憶されている値より小さい、即ちカウント値が規定値に達していない場合には（ステップＤ１７：ＮＯ）、ステップＤ２５に進む。
【０１０７】
そして、ステップＤ１９において、制御回路２７９ｃは、信号Ｓ３の電圧レベルを切り替え、アンテナ３１の受信特性を切り替えさせる（ステップＤ１９）。次いで、タイマ２７８のカウント動作を終了させ、レジスタ２７７６に記憶されているカウント値をゼロクリアするとともに、レジスタ２７７５にタイマ２７８がカウント動作を行っていないことを示す“Ｌ”を記憶させる（ステップＤ２１）。そして、レジスタ２７７３にアンテナ３１の受信特性の切り替えを行ったことを示す“Ｈ”を記憶させる（ステップＤ２３）。また、ステップＤ２５においては、レジスタ２７７３に、アンテナ３１の受信特性の切り替えを行っていないことを示す“Ｌ”を記憶させる（ステップＤ２５）。
【０１０８】
その後、制御回路２７９ｃは、レジスタ２７７０に記憶されている現在の受信品位の値をレジスタ２７７２に記憶させるとともに、比較器２７６１の比較結果をレジスタ２７７４に記憶させる（ステップＤ２７）。そして、アンテナ制御を終了するか否かを判断し、終了しない場合（ステップＤ２９：ＮＯ）、ステップＤ３に戻り、終了する場合には（ステップＤ２９：ＹＥＳ）、本処理を終了する。
【０１０９】
図１４は、制御回路２７９ｃにおける各信号波形の一例を示す図である。同図では、横軸を時間として、上から順に、受信品位検出回路２６により検出された受信品位の値、受信品位の値が閾値を下回ったときのみ信号Ｓ３の電圧レベルの切り替えを行う場合の信号Ｓ３（信号Ｓ３´とする）の電圧レベル、第４の実施の形態での信号Ｓ３の電圧レベル、タイマ２７８のカウント値、を示している。
【０１１０】
ここで、制御回路２７９ｃは、不図示のクロック信号に同期して、図１３のフローチャートに示した処理を実行する。そして、図１４における時刻ｔ０，ｔ１，ｔ２，・・・それぞれの時間間隔は、１回のアンテナ３１の受信特性の切り替えにかかる時間（即ち、ステップＤ３〜Ｄ２９の実行に要する時間）に相当し、クロック信号の周波数及び制御回路２７９ｃの処理速度に応じて、例えば１［ｍｓ］や１００［ｍｓ］、１［ｓ］といった値となる。そして、各時刻ｔにおけるタイマ２７８のカウント値は、制御回路２７９ｃのクロック信号の周波数、タイマ２７８のクロック信号の周波数、及び、時刻ｔの時間間隔に応じた値となる。
【０１１１】
具体的には、例えば、図１４に示すように、制御回路２７９ｃのクロック信号の周波数とタイマ２７８のクロック信号の周波数とを同一の１［ＭＨｚ］とし、時刻ｔの時間間隔を１［ｍｓ］とした場合、タイマ２７８のカウント値は、時刻ｔ毎に「１０００（＝１［ｍｓ］／１［ＭＨｚ］）」づつカウントアップする。尚、同図では、カウント値の規定値を「２５００」としている。
【０１１２】
また、制御回路２７９ｃのクロック信号の周波数を１［ＭＨｚ］、時刻ｔの時間間隔を１［ｍｓ］とし、タイマ２７８のクロック信号の周波数を１［ｋＨｚ］とした場合には、タイマ２７８のカウント値は、時刻ｔ毎に「１（＝１［ｍｓ］／１［ｋＨｚ］）」づつカウントアップすることになる。
【０１１３】
同図によれば、時刻ｔ０において、受信品位の値は閾値より高く、信号Ｓ３の電圧レベルはＶ０である。また、タイマ２７８のカウント動作が行われておらず、カウント値は、初期値「０」となっている。
【０１１４】
時刻ｔ１では、受信品位の値が、時刻ｔ０における前回の受信品位の値より低下しているが、閾値より高いため、信号Ｓ３の信号レベルの電圧レベルは切り替えられずＶ０を維持し、アンテナ３１の受信特性の切り替えは行われない。
【０１１５】
時刻ｔ２では、受信品位の値が、時刻ｔ１における前回の受信品位の値より低下し、且つ、閾値より低くなっているため、信号Ｓ３の信号レベルの電圧レベルがＶ０からＶ１に切り替えられ、アンテナ３１の受信特性の切り替えが行われる。
【０１１６】
時刻ｔ３では、受信品位の値が、時刻ｔ２における前回の受信品の値より高くなっているが、閾値より低いため、信号Ｓ３の電圧レベルは切り替えられずＶ１を維持し、アンテナ３１の受信特性の切り替えは行われない。また、タイマ２７８のカウント動作が開始される。
【０１１７】
時刻ｔ４では、受信品位の値が、時刻ｔ３における前回の受信品位の値より低下している。また、前回の時刻ｔ３においてアンテナ３１の受信特性の切り替えが行われていないため、タイマ２７８のカウント値は「１０００」となるが、この値は規定値「２５００」に達していないので、信号Ｓ３の電圧レベルは切り替えられずＶ１を維持し、アンテナ３１の受信特性の切り替えは行われない。
【０１１８】
時刻ｔ５では、受信品位の値が、時刻ｔ４における前回の受信品位の値より高くなっているが、閾値より低い。また、タイマ２７８のカウント値は「２０００」となるが、この値は規定値「２５００」に達していないので、信号Ｓ３の電圧レベルは切り替えられずＶ１を維持し、アンテナ３１の受信特性の切り替えは行われない。
【０１１９】
時刻ｔ６では、受信品位の値が、時刻ｔ５における前回の受信品位の値より低下しているとともに、前回の時刻ｔ５においてアンテナ３１の受信特性の切り替えが行われていない。また、タイマ２７８のカウント値が「３０００」となって規定値「２５００」に達する。このため、信号Ｓ３の電圧レベルがＶ１からＶ０に切り替えられてアンテナ３１の受信特性の切り替えが行われる。そして、カウント値がゼロクリアされるとともに、タイマ２７８のカウント動作が終了される。
【０１２０】
時刻ｔ７では、受信品位の値が、時刻ｔ６における前回の受信品位の値より高くなっているが、閾値より低いため、信号Ｓ３の電圧レベルは切り替えられずＶ０を維持し、アンテナ３１の受信特性の切り替えは行われない。また、再度タイマ２７８のカウント動作が開始される。
【０１２１】
そして、以降の各時刻においても同様な制御が繰り返される。即ち、時刻ｔ８，ｔ９それぞれでは、カウント値が「１０００」づつ増加された値となる。そして、時刻ｔ１０において、カウント値が規定値「２５００」に達すると、信号Ｓ３の電圧レベルがＶ０からＶ１に切り替えられ、アンテナ３１の受信特性の切り替えが行われるとともに、カウント動作が終了され、カウント値がゼロクリアされる。
【０１２２】
次いで、時刻ｔ１１において、再度タイマ２７８のカウント動作が開始され、その後の時刻ｔ１２，ｔ１３それぞれにおいてカウント値が「１０００」づつ増加された値となる。そして、時刻ｔ１４において、受信品位の値が再度閾値より低くなると、信号Ｓ３の電圧レベルがＶ１からＶ０に切り替えられてアンテナ３１の受信特性の切り替えが行われるとともに、タイマ２７８のカウント動作が終了され、カウント値がゼロクリアされる。
【０１２３】
以上のように、第４の実施の形態によれば、受信信号の受信品位の値と閾値とを比較し、その比較結果に基づいてアンテナ３１の受信特性を変更させることができる。即ち、受信品位が閾値よりも低い状態が予め定められた時間継続された場合、補助アンテナ３２に印加する信号Ｓ３の電圧レベルを切り替えてアンテナ３１の受信特性を変更させることにより、受信帯域と同じ帯域にノイズが発生している場合であっても、常に最適な受信品位を確保することが可能となる。また、アンテナ３１の受信特性の変更が行われない状態が所定時間以上継続されないため、より最適な受信品位を確保することが可能となる。
【０１２４】
〔第５の実施の形態〕
次に、第５の実施形態を説明する。
第５の実施の形態における受信装置の構成は、第４の実施の形態にて説明したアンテナ制御回路３７ｃを、図１５に示すアンテナ制御回路２７ｄとしたものである。従って、以下では、同一の構成要素については説明を省略し、アンテナ制御回路２７ｄを中心に説明する。
【０１２５】
図１５は、アンテナ制御回路２７ｄのブロック図である。このアンテナ制御回路２７ｄは、現在の受信品位の値と閾値との比較結果、現在の受信品位の値と前回の受信品位の値との比較結果、及び、前回の受信品位の値と閾値との比較結果に基づいて、補助アンテナ３２に印加する信号Ｓ３の電圧レベルを切り替えるとともに、上記閾値の値を変更するものである。同図によれば、アンテナ制御回路２７ｄは、レジスタ２７７０〜２７７４と、比較器２７６１，２７６２と、制御回路２７９ｄとを有して構成される。
【０１２６】
制御回路２７９ｄは、受信品位検出回路２６から入力される受信品位の値、比較器２７６１，２７６２の比較結果、及び、レジスタ２７７０〜２７７４に記憶されている値に基づいて、信号Ｓ３の電圧レベルを、Ｖ０からＶ１に、或いは、Ｖ１からＶ０に、切り替えて出力するとともに、レジスタ２７７１に記憶されている閾値を、予め定められた所定範囲内で引き上げる或いは引き下げる制御を行う。
【０１２７】
図１６は、第５実施形態におけるアンテナ制御回路２７ｄの動作の流れを説明するためのフローチャートである。同図によれば、制御回路２７９ｄは、先ず、予め定められた受信品位の閾値の初期値をレジスタ２７７１に記憶させる（ステップＥ１）。
【０１２８】
次に、制御回路２７９ｄは、受信品位検出回路２６により検出された受信品位の値を、現在の受信品位の値としてレジスタ２７７０に記憶させる（ステップＥ３）。続いて、比較器２７６１の出力信号のレベルを判定し、そのレベルが“Ｈ”である場合（ステップＥ５：ＹＥＳ）、比較器２７６２の出力信号のレベルを判定する。
【０１２９】
比較器２７６２の出力信号のレベルが“Ｈ”である場合（ステップＥ７：ＹＥＳ）、レジスタ２７７４に記憶されている値を判定し、その値が“Ｌ”である場合（ステップＥ９：ＮＯ）、ステップＥ２３に進む。一方、レジスタ２７７４に記憶されている値が“Ｈ”である場合には（ステップＥ９：ＹＥＳ）、レジスタ２７７３に記憶されている値を判定し、その値が“Ｈ”である場合（ステップＥ１１：ＹＥＳ）、ステップＥ２３に進む。また、レジスタ２７７３に記憶されている値が“Ｌ”である場合（ステップＥ１１：ＮＯ）、ステップＥ２７に進む。
【０１３０】
比較器２７６２の出力信号のレベルが“Ｌ”である場合には（ステップＥ７：ＮＯ）、制御回路２７９ｄは、レジスタ２７７１に記憶されている閾値と所定の最小閾値とを比較し、閾値が最小閾値に一致しない場合（ステップＥ１３：ＮＯ）、そのレジスタ２７７１に記憶されている閾値を、所定の引き下げ量αだけ低い値に更新して、閾値を引き下げる（ステップＥ１５）。尚ここで、現在の閾値より引き下げ量αだけ小さい値が最小閾値を下回る場合には、更新後の閾値を最小閾値とする。その後、ステップＥ２７に進む。
【０１３１】
一方、比較器２７６１の出力信号のレベルが“Ｌ”である場合（ステップＥ５：ＮＯ）、制御回路２７９ｄは、レジスタ２７７１に記憶されている閾値と所定の最大閾値とを比較する。閾値が最大閾値に一致する場合（ステップＥ１７：ＹＥＳ）、ステップＥ２７に進む。一方、レジスタ２７７１に記憶されている閾値が最大閾値に一致しない場合（ステップＥ１７：ＮＯ）、レジスタ２７７０に記憶されている現在の受信品位の値と、レジスタ２７７１に記憶されている閾値より所定の引き上げ量βだけ高い値とを比較する。現在の受信品位の値が閾値より引き上げ量βだけ高い値以上である場合（ステップＥ１９：ＮＯ）、レジスタ２７７１に記憶されている閾値を、引き上げ量βだけ高い値に更新して、閾値を引き上げる（ステップＥ２１）。尚ここで、現在の閾値より引き上げ量βだけ高い値が最大閾値を超える場合には、更新後の閾値を最大閾値とする。その後、ステップＥ１９に戻る。一方、現在の受信品位の値が閾値より引き上げ量βだけ高い値より小さい場合には（ステップＥ１９）、ステップＥ２７に進む。
【０１３２】
そして、ステップＥ２３において、制御回路２７９ｄは、信号Ｓ３の電圧レベルを切り替えてアンテナ３１の受信特性を切り替えさせる（ステップＥ２３）。そして、レジスタ２７７３に、アンテナ３１の受信特性の切り替えを行ったことを示す“Ｈ”を記憶させる（ステップＥ２５）。また、ステップＥ２７においては、レジスタ２７７３に、アンテナ３１の受信特性の切り替えを行っていないことを示す“Ｌ”を記憶させる（ステップＥ２７）。
【０１３３】
その後、制御回路２７９ｄは、レジスタ２７７０に記憶されている現在の受信品位の値をレジスタ２７７２に記憶させるとともに、比較器２７６１の比較結果をレジスタ２７７４に記憶させる（ステップＥ２９）。そして、アンテナ制御を終了するか否かを判断し、終了しない場合（ステップＥ３１：ＮＯ）、ステップＥ３に戻り、終了する場合には（ステップＥ３１：ＹＥＳ）、本処理を終了する。
【０１３４】
図１７，１８は、制御回路２７９ｄにおける各信号波形の一例を示す図である。図１７，１８では、横軸を時間として、上から順に、受信品位検出回路２６により検出された受信品位の値、アンテナ制御回路２７ｄから出力された信号Ｓ３の電圧レベル、を示している。
【０１３５】
図１７は、最大閾値を「ＴＨＡ」、最小閾値を「ＴＨＢ」とし、閾値の引き下げ量α及び引き上げ量βをともに「ＴＨＡ−ＴＨＢ」とした場合を示している。従って、同図の場合、閾値として「ＴＨＡ」及び「ＴＨＢ」が設定される、即ち２段階の閾値の変更が行われることになる。但し、ＴＨＡ＞ＴＨＢ、である。
【０１３６】
同図によれば、時刻ｔ０において、閾値は最大閾値である「ＴＨＡ」に設定されている。そして、受信品位の値は閾値ＴＨＡより高く、信号Ｓ３の電圧レベルはＶ０である。
【０１３７】
時刻ｔ１では、受信品位の値が、時刻ｔ０における前回の受信品位の値より低下しているが、閾値ＴＨＡより高いため、信号Ｓ３の電圧レベルは切り替えられずＶ０を維持し、アンテナ３１の受信特性の切り替えは行われない。
【０１３８】
時刻ｔ２では、受信品位の値が、時刻ｔ１における前回の受信品位より低下し、且つ、閾値ＴＨＡより低いため、信号Ｓ３の電圧レベルがＶ０からＶ１に切り替えられ、アンテナ３１の受信特性の切り替えが行われる。
【０１３９】
時刻ｔ３では、受信品位の値は、時刻ｔ２における前回の受信品位の値より高くなっているが、閾値ＴＨＡより低いため、信号Ｓ３の電圧レベルは切り替えられずＶ０を維持し、アンテナ３１の受信特性の切り替えは行われない。また、閾値が「ＴＨＡ」から引き下げ量αだけ引き下げられ、「ＴＨＢ」となる。
【０１４０】
時刻ｔ４，ｔ５それぞれでは、受信品位の値が閾値ＴＨＢより高いため、信号Ｓ３の電圧レベルは切り替えられずＶ１を維持し、アンテナ３１の受信特性の切り替えは行われない。
【０１４１】
時刻ｔ６では、受信品位の値が、時刻ｔ５における前回の受信品位の値より低下し、且つ、閾値ＴＨＢより低いため、信号Ｓ３の電圧レベルがＶ１からＶ０に切り替えられ、アンテナ３１の受信特性の切り替えが行われる。
【０１４２】
時刻ｔ７では、受信品位の値が、時刻ｔ６における前回の受信品位の値より高くなっており、且つ、閾値ＴＨＢより低いが、閾値は既に最小閾値ＴＨＢであるため、閾値は引き下げられない。
【０１４３】
そして、以降の各時刻ｔにおいても同様の制御が繰り返される。即ち、時刻ｔ８，ｔ９それぞれでは、アンテナ３１の受信特性の切り替えは行われず、また、閾値の引き下げ／引き上げも行われない。次いで、時刻ｔ１０では、受信品位の値が、時刻ｔ９における前回の受信品位の値より低く、且つ、閾値ＴＨＢより低くなっているため、信号Ｓ３の電圧レベルがＶ０からＶ１に切り替えられ、アンテナ３１の受信特性の切り替えが行われる。
【０１４４】
時刻ｔ１１において、受信品位の値が、時刻ｔ１０における前回の受信品位の値にほぼ等しく、且つ、閾値ＴＨＢより低いが、閾値は既に最小閾値ＴＨＢであるため、閾値は引き下げられない。また、時刻ｔ１２では、アンテナ３１の受信特性の切り替え、及び、閾値の引き下げ／引き上げはともに行われない。
【０１４５】
次いで、時刻ｔ１３では、受信品位の値が、時刻ｔ１２における前回の受信品位の値より高く、且つ、閾値ＴＨＢより引き上げ量βだけ高い値より高いため、閾値が「ＴＨＢ」から引き上げ量βだけ引き上げられ、「ＴＨＡ」となる。続いて、時刻ｔ１４では、受信品位の値が、時刻ｔ１３における前回の受信品位の値より低下し、且つ、閾値ＴＨＢより低いため、信号Ｓ３の電圧レベルがＶ１からＶ０に切り替えられ、アンテナ３１の受信特性の切り替えが行われる。
【０１４６】
そして、時刻ｔ１５では、受信品位の値が、時刻ｔ１４における前回の受信品位の値より高く、且つ、閾値ＴＨＡより低いため、閾値が「ＴＨＡ」から引き下げ量αだけ引き下げられ、「ＴＨＢ」となる。
【０１４７】
また、図１８は、最大閾値を「ＴＨＡ」、最小閾値を「ＴＨＣ」とし、閾値の引き下げ量α及び引き下げ量βをともに「（ＴＨＡ−ＴＨＢ）／２」とした場合を示している。従って、同図の場合、閾値として、「ＴＨＡ」、「ＴＨＣ」、及び、「ＴＨＡ」と「ＴＨＣ」の中間値である「ＴＨＢ」が設定される、即ち３段階の閾値の変更が行われることとなる。但し、ＴＨＡ＞ＴＨＢ＞ＴＨＣ、である。
【０１４８】
同図によれば、時刻ｔ０において、閾値は最大閾値である「ＴＨＡ」に設定されている。また、受信品位の値は閾値ＴＨＡより高く、信号Ｓ３の電圧レベルはＶ０である。時刻ｔ１では、受信品位の値が閾値ＴＨＡより高いため、アンテナ３１の受信特性の切り替え、及び、閾値の引き下げ／引き上げは行われない。
【０１４９】
時刻ｔ２では、受信品位の値が、時刻ｔ１における前回の受信品位の値より低下し、且つ、閾値ＴＨＡより低いため、信号Ｓ３の電圧レベルがＶ０からＶ１に切り替えられ、アンテナ３１の受信特性の切り替えが行われる。
【０１５０】
時刻ｔ３では、受信品位の値が、時刻ｔ２における前回の受信品位の値より高く、且つ、閾値ＴＨＡより低いため、閾値が「ＴＨＡ」から「ＴＨＢ」に１段階引き下げられる。
【０１５１】
時刻ｔ４，ｔ５それぞれでは、受信品位の値が閾値ＴＨＢより高いため、アンテナ３１の受信特性の切り替え、及び、閾値の引き上げ／引き下げは行われない。時刻ｔ６では、受信品位の値が、時刻ｔ５における前回の受信品位の値より低下し、且つ、閾値ＴＨＢより低いため、アンテナ３１の受信特性の切り替えが行われる。
【０１５２】
時刻ｔ７では、受信品位の値が、時刻ｔ６における前回の受信品位の値より高く、且つ、閾値ＴＨＢより低いため、閾値が「ＴＨＢ」から「ＴＨＣ」に１段階引き下げられる。時刻ｔ８では、受信品位の値が、時刻ｔ７における前回の受信品位の値より低下し、且つ、閾値ＴＨＢより低いため、アンテナ３１の受信特性の切り替えが行われる。
【０１５３】
時刻ｔ９では、受信品位の値が、時刻ｔ８における前回の受信品位の値より高く、且つ、閾値ＴＨＣより高い。更に、受信品位の値は、現在の閾値ＴＨＣより１段階高い閾値ＴＨＢより高い。このため、閾値が「ＴＨＣ」から「ＴＨＢ」に１段階引き上げられる。
【０１５４】
時刻ｔ１０では、受信品位の値が、時刻ｔ９における前回の受信品位の値より低下し、且つ、閾値ＴＨＢより低いため、アンテナ３１の受信特性の切り替えが行われる。時刻ｔ１１では、受信品位の値が、時刻ｔ１０における前回の受信品位の値とほぼ等しく、且つ、閾値ＴＨＢより低いため、閾値が「ＴＨＢ」から「ＴＨＣ」に１段階引き下げられる。時刻ｔ１２では、受信品位の値が、時刻ｔ１１における前回の受信品位の値より低下し、且つ、閾値ＴＨＣより低いため、アンテナ３１の受信特性の切り替えが行われる。
【０１５５】
時刻ｔ１３では、受信品位の値が、時刻ｔ１２における前回の受信品の値より高く、且つ、閾値ＴＨＣより高い。更に、受信品位の値は、現在の閾値ＴＨＣより２段階高い閾値ＴＨＡより高い。このため、閾値が「ＴＨＣ」から「ＴＨＡ」に２段階引き上げられる。
【０１５６】
時刻ｔ１４では、時刻ｔ１３における前回の受信品位の値より低下し、且つ、閾値ＴＨＡより低いため、アンテナ３１の受信特性の切り替えが行われる。時刻ｔ１５では、受信品位の値が、時刻ｔ１４における前回の受信品位の値より高く、且つ、閾値ＴＨＡより低いため、閾値が「ＴＨＡ」から「ＴＨＢ」に１段階引き下げられる。
【０１５７】
以上のように、第５の実施の形態によれば、受信信号の受信品位の値と閾値とを比較し、その比較結果に基づいてアンテナ３１の受信特性を変更させることができる。即ち、受信品位の値が閾値より低く、且つ、受信品位の値が前回の受信品位の値より悪くなった場合、この閾値が現在の値より低い値に更新される。このため、劣悪な受信環境下であっても、アンテナ３１の受信特性の変更が行われない状態が所定時間以上継続されることなく、より最適な受信品位を確保することが可能となる。
【０１５８】
〔変形例〕
以上、５つの実施形態について説明したが、本発明の受信装置、受信方法及び受信装置用集積回路を適用可能な範囲はＯＦＤＭ方式を採用するデジタル放送の電波を受信するためのものに限らない。例えば、受信品位の値に応じて受信用アンテナの受信特性を変化させる受信装置、受信回路及び受信方法であれば、信号のアナログ／デジタルや変調方式等はこれに限らない。
【０１５９】
また、可変特性アンテナ部３００を、複数の受信用アンテナを備えて構成されることとしても良い。図１９は、２つの受信用アンテナを備える可変特性アンテナ部３００ａの構成を示す図である。同図によれば、可変特性アンテナ部３００ａは、２つのアンテナ３１ａ，３１ｂと、アンテナ切替回路３５とを備えて構成される。
【０１６０】
アンテナ３１ａ，３１ｂは、デジタル放送の電波を受信し、受信した電気信号を出力する。また、アンテナ３１ａ，３１ｂは、その指向性等の受信特性が互いに異なるように構成されている。
【０１６１】
アンテナ切替回路３５は、アンテナ制御回路２７から入力される信号Ｓ３の電圧レベルに応じてアンテナ３１ａ，３１ｂの何れかを選択し、選択したアンテナから出力される電気信号を、当該可変特性アンテナ部３００ａからの出力信号とする。このアンテナ切替回路３５の切り替えにより、可変特性アンテナ部３００ａの受信特性が変更されることとなる。
【図面の簡単な説明】
【０１６２】
【図１】第１の実施の形態の受信装置の回路構成を示すブロック図。
【図２】第１の実施の形態のアンテナ制御回路を示すブロック図。
【図３】第１の実施の形態の受信品位検出回路及びアンテナ制御回路の処理を説明するためのフローチャート。
【図４】第１の実施の形態の受信品位の値と信号Ｓ３の変化を説明するための図。
【図５】第１の実施の形態の受信装置を移動させたときの受信品位の値の変化を示したグラフ。
【図６】第２の実施の形態のアンテナ制御回路を示すブロック図。
【図７】第２の実施の形態の受信品位検出回路及びアンテナ制御回路の処理を説明するためのフローチャート。
【図８】第２の実施の形態の受信品位の値と信号Ｓ３の変化を説明するための図。
【図９】第３の実施の形態のアンテナ制御回路を示すブロック図。
【図１０】第３の実施の形態の受信品位検出回路及びアンテナ制御回路の処理を説明するためのフローチャート。
【図１１】第３の実施の形態の受信品位の値と信号Ｓ３の変化を説明するための図。
【図１２】第４の実施の形態のアンテナ制御回路を示すブロック図。
【図１３】第４の実施の形態のアンテナ制御回路の動作を説明するためのフローチャート。
【図１４】第４の実施の形態の受信品位の値と信号Ｓ３の変化を説明するための図。
【図１５】第５の実施の形態のアンテナ制御回路を示すブロック図。
【図１６】第５の実施の形態のアンテナ制御回路の動作を説明するためのフローチャート。
【図１７】第５の実施の形態の受信品位の値と信号Ｓ３の変化を説明するための図。
【図１８】第５の実施の形態の受信品位の値と信号Ｓ３の変化を説明するための図。
【図１９】可変特性アンテナ部の変形例。
【符号の説明】
【０１６３】
１００  受信装置
１１  チューナー回路
２００  復調部
２１  ＡＤＣ
２２  ＦＦＴ
２３  伝送路等価回路
２４  復調回路
２５  誤り訂正回路
２６  受信品位検出回路
２７  アンテナ制御回路
３００  可変特性アンテナ部
３１  アンテナ
３２  補助アンテナ
【図１】
2006186961.tif 000003
【図２】
2006186961.tif 000004
【図３】
2006186961.tif 000005
【図４】
2006186961.tif 000006
【図５】
2006186961.tif 000007
【図６】
2006186961.tif 000008
【図７】
2006186961.tif 000009
【図８】
2006186961.tif 000010
【図９】
2006186961.tif 000011
【図１０】
2006186961.tif 000012
【図１１】
2006186961.tif 000013
【図１２】
2006186961.tif 000014
【図１３】
2006186961.tif 000015
【図１４】
2006186961.tif 000016
【図１５】
2006186961.tif 000017
【図１６】
2006186961.tif 000018
【図１７】
2006186961.tif 000019
【図１８】
2006186961.tif 000020
【図１９】
2006186961.tif 000021